(57)【要約】【課題】【解決手段】搬送されるディスク状記録媒体１００を挟んで互いに反対側に位置されディスク状記録媒体の外周面に互いに反対側から押し付けられてディスク状記録媒体を搬送する第１の搬送手段６と第２の搬送手段７とを設け、第１の搬送手段として、ディスク状記録媒体の搬送経路に沿って離間して配置されディスク状記録媒体の外周面に対して離接する方向へ移動可能とされると共にそれぞれ独立して回転され順にディスク状記録媒体の外周面上を転動するようにしてディスク状記録媒体を受け渡しながら送る複数の送りローラー９、９、・・・を設け、ディスク状記録媒体の外周面に離接する方向への各送りローラーの移動動作に基づいて、ディスク状記録媒体の搬送方向における位置を検出しディスク状記録媒体に対する搬送動作を制御する制御部８３を設けた。【選択図】　　　　　図１１
2004030710.tif 000002
【特許請求の範囲】
【請求項１】
ディスク挿入口から挿入されたディスク状記録媒体を搬送してローディングするディスクローディング装置であって、
搬送されるディスク状記録媒体を挟んで互いに反対側に位置されディスク状記録媒体の外周面に互いに反対側から押し付けられてディスク状記録媒体を搬送する第１の搬送手段と第２の搬送手段とを備え、
上記第１の搬送手段として、ディスク状記録媒体の搬送経路に沿って離間して配置されディスク状記録媒体の外周面に対して離接する方向へ移動可能とされると共にそれぞれ独立して回転され順にディスク状記録媒体の外周面上を転動するようにしてディスク状記録媒体を受け渡しながら送る複数の送りローラーを設け、
ディスク状記録媒体の外周面に離接する方向への各送りローラーの移動動作に基づいて、ディスク状記録媒体の搬送方向における位置を検出しディスク状記録媒体に対する搬送動作を制御する制御部を設けた
ことを特徴とするディスクローディング装置。
【請求項２】
半径方向における大きさが異なる複数の種類のディスク状記録媒体のローディングが可能なディスクローディング装置であって、
上記制御部が、ディスク状記録媒体の外周面に離接する方向への各送りローラーの移動動作に基づいて、ディスク挿入口から挿入されたディスク状記録媒体の半径方向における大きさを検出するようにした
ことを特徴とする請求項１に記載のディスクローディング装置。
【請求項３】
上記制御部は、ディスク状記録媒体の外周面に離接する方向への各送りローラーの移動動作に伴って操作される複数の検出スイッチを有し、
該複数の検出スイッチに対する操作状態に基づいて、ディスク状記録媒体の搬送方向における位置を検出するようにした
ことを特徴とする請求項１に記載のディスクローディング装置。
【請求項４】
上記制御部は、ディスク状記録媒体の外周面に離接する方向への各送りローラーの移動動作に伴って操作される複数の検出スイッチを有し、
該複数の検出スイッチに対する操作状態に基づいて、ディスク状記録媒体の搬送方向における位置を検出するようにした
ことを特徴とする請求項２に記載のディスクローディング装置。
【請求項５】
上記第２の搬送手段として、ディスク状記録媒体の搬送方向に離間して上記送りローラーと同数配置されると共に略円筒状又は略円柱状に形成され外周面が搬送されるディスク状記録媒体の外周面に順に押し付けられる複数の送り体を設け、
搬送されるディスク状記録媒体を挟んで反対側に位置された各送りローラーと各送り体とを、搬送されるディスク状記録媒体の外周面に対して離接する方向へ同期して移動可能とした
ことを特徴とする請求項１に記載のディスクローディング装置。
【請求項６】
ディスク状記録媒体の目標位置への搬送を、第１の回転速度で送りローラーを回転させて目標位置の近傍のターゲット位置に搬送してから、第１の回転速度よりも遅い第２の回転速度で送りローラーを回転させてターゲット位置から搬送することにより行うようにした
ことを特徴とする請求項１に記載のディスクローディング装置。
【発明の詳細な説明】
【０００１】
【発明の属する技術分野】
本発明はディスクローディング装置に関する。詳しくは、ディスク挿入口から挿入されたディスク状記録媒体を搬送してローディングするディスクローディング装置についての技術分野に関する。
【０００２】
【従来の技術】
ディスク挿入口から挿入された光ディスク等のディスク状記録媒体を搬送してローディングするディスクローディング装置があり、このようなディスクローディング装置にあっては、ローディングされたディスク状記録媒体に対して情報信号の記録又は再生が行われる。
【０００３】
ディスクローディング装置のローディング方式としては、大別して２種類あり、ディスク状記録媒体をディスクトレイに載置しディスクトレイを移動させてローディングする所謂トレイ方式と、ディスクトレイを用いずディスク状記録媒体を直接ディスク挿入口から挿入してローディングする所謂スロットイン方式とがある。
【０００４】
スロットイン方式のディスクローディング装置には、例えば、ディスク状記録媒体の半径方向に離間して配置された一対のローラーがディスク状記録媒体の外周面に互いに反対側から押し付けられてディスク状記録媒体を搬送するようにしたタイプがある。
【０００５】
【発明が解決しようとする課題】
ところで、上記したスロットイン方式のディスクローディング装置においては、トレイ方式のようにディスクトレイを移動させてディスク状記録媒体を所定の位置まで搬送する動作を行わず、送りローラーによってディスク状記録媒体が搬送されるため、搬送時にディスク状記録媒体の搬送方向における位置を検出して該ディスク状記録媒体を所定の位置に適正に搬送する必要がある。
【０００６】
一方、例えば、ディスクローディング装置を、複数のディスク状記録媒体の収納が可能なストッカーを有し収納したディスク状記録媒体のうち所望のディスク状記録媒体について情報信号の記録や再生を行うことができる所謂ディスクチェンジャーとしても使用できるようにした場合には、ディスク挿入口、記録再生部及びストッカー間においてディスク状記録媒体の搬送を行う必要があるため、ディスク状記録媒体の長い搬送ストロークが必要とされる。
【０００７】
そこで、本発明ディスクローディング装置は、上記した問題点を克服し、ディスク状記録媒体の搬送ストロークの長さに拘わらずディスク状記録媒体の送りローラーによる搬送を適正かつ確実に行えるようにすることを課題とする。
【０００８】
【課題を解決するための手段】
本発明ディスクローディング装置は、上記した課題を解決するために、搬送されるディスク状記録媒体を挟んで互いに反対側に位置されディスク状記録媒体の外周面に互いに反対側から押し付けられてディスク状記録媒体を搬送する第１の搬送手段と第２の搬送手段とを設け、第１の搬送手段として、ディスク状記録媒体の搬送経路に沿って離間して配置されディスク状記録媒体の外周面に対して離接する方向へ移動可能とされると共にそれぞれ独立して回転され順にディスク状記録媒体の外周面上を転動するようにしてディスク状記録媒体を受け渡しながら送る複数の送りローラーを設け、ディスク状記録媒体の外周面に離接する方向への各送りローラーの移動動作に基づいて、ディスク状記録媒体の搬送方向における位置を検出しディスク状記録媒体に対する搬送動作を制御する制御部を設けたものである。
【０００９】
従って、本発明ディスクローディング装置にあっては、各送りローラーとディスク状記録媒体との位置関係に基づいてディスク状記録媒体に対する搬送動作の制御が行われる。
【００１０】
【発明の実施の形態】
以下に、本発明の実施の形態を添付図面を参照して説明する。尚、以下に示した実施の形態は、本発明を、ディスク挿入口から挿入された光ディスク等のディスク状記録媒体を搬送してローディングし該ディスク状記録媒体に対して情報信号の再生を行うことができるディスクローディング装置に適用したものである。
【００１１】
また、以下に示した実施の形態は、本発明をディスク状記録媒体に記録された情報信号の再生を行う装置に適用した例を示しているが、本発明は、ディスク状記録媒体に対する情報信号の記録を行う装置、又は、ディスク状記録媒体に対する情報信号の記録及び再生の双方を行うことができる装置に適用することも可能である。
【００１２】
以下に示すディスクローディング装置は、複数のディスク状記録媒体の収納が可能なストッカーを備え、該ストッカーに収納された任意のディスク状記録媒体の取出及びストッカーに対する任意のディスク状記録媒体の収納を行うことができるディスクチェンジャーとしての機能をも有している。
【００１３】
本発明の実施の形態を、以下に示す各項目に従って順に説明する。
（１）ディスクローディング装置の概要
（２）ディスクローディング装置の具体的構成
（ａ）全体の構成の概要
（ｂ）支持シャーシ
（ｃ）第１のスライド手段
（ｄ）第２のスライド手段
（ｅ）第３のスライド手段
（ｆ）第４のスライド手段
（ｇ）第５のスライド手段
（ｈ）チャッキングプーリー
（ｉ）モード形成用駆動機構
（ｊ）ベースユニット
（ｋ）ディスクセンサー
（ｌ）搬送用駆動機構
（ｍ）サブシャーシ
（ｎ）首振機構
（ｏ）ストッカー昇降機構
（ｐ）筐体の構成
（ｑ）検出スイッチ
（ｒ）制御部
（３）ディスクローディング装置の制御動作
（ａ）５つの動作モード
（ｂ）制御動作の概要
（ｃ）入力取得処理
（ｄ）シーケンス処理
（ｅ）オペレーション処理
（ｆ）ファイン処理
（ｇ）モーターへの出力処理
（ｈ）前方ローディングモードにおける制御動作（再生部への搬送）
（ｉ）後方ローディングモードにおける制御動作（ストッカーへの搬送）
（ｊ）後方ローディングモードにおける制御動作（再生部への搬送）
（ｋ）前方ローディングモードにおける制御動作（ディスク挿入口への搬送）
（４）ディスクローディング装置の動作
（ａ）前方ローディングモード
（ｂ）ディスク挿入口と再生部との間の搬送動作（大径のディスク状記録媒体）
（ｃ）再生部とストッカーとの間の搬送動作（大径のディスク状記録媒体）
（ｄ）ディスク挿入口とストッカーとの間の搬送動作（大径のディスク状記録媒体）
（ｅ）ディスク挿入口と再生部との間の搬送動作（小径のディスク状記録媒体）
（ｆ）その他
（５）まとめ
以下、各項目に従って説明する。
【００１４】
（１）ディスクローディング装置の概要
以下に、ディスクローディング装置の概要について説明する（図１乃至図３参照）。
【００１５】
ディスクローディング装置１（１Ａ、１Ｂ、１Ｃ）は筐体２に所要の各部材及び各機構が配置されて成り、筐体２は、例えば、平面で見て略矩形状を為す縦長の形状に形成されている（図１乃至図３参照）。筐体２の前面にはディスク状記録媒体１００が挿入されるディスク挿入口２ａが形成されている。
【００１６】
ディスクローディング装置１においては、例えば、直径が約１２ｃｍの大径のディスク状記録媒体１００ａと、例えば、直径が約８ｃｍの小径のディスク状記録媒体１００ｂとに対する情報信号の再生を行うことができ、後述するストッカーへの収納は大径のディスク状記録媒体１００ａのみが可能とされている。
【００１７】
筐体２には、ディスク状記録媒体１００に対して情報信号の再生を行う再生部３と複数のディスク状記録媒体１００、１００、・・・の収納が可能なストッカー４とディスク状記録媒体１００、１００、・・・を搬送する搬送機構５とが設けられている。尚、ディスク状記録媒体１００に対して情報信号の記録を行う装置にあっては、再生部３に代えて記録部が設けられ、また、ディスク状記録媒体１００に対して情報信号の記録及び再生を行う装置にあっては、再生部３に代えて記録再生部が設けられる。
【００１８】
搬送機構５は、筐体２の左端部と右端部とにそれぞれ設けられた第１の搬送手段６と第２の搬送手段７とを有している。第１の搬送手段６と第２の搬送手段７は、少なくとも一方が略円筒状又は略円柱状を為す複数の送り手段８、８、・・・によって構成されている。送り手段８、８、・・・は、ディスク状記録媒体１００の搬送方向Ｙ１―Ｙ２に離間して設けられている。
【００１９】
送り手段８、８、・・・としては、回転可能な送りローラー９、９、・・・又は回転不能な送り体１０、１０、・・・が用いられ、第１の搬送手段６又は第２の搬送手段７の少なくとも一方は、送りローラー９、９、・・・によって構成されている。送りローラー９、９、・・・及び送り体１０、１０、・・・は、後述するように、何れもディスク状記録媒体１００の外周面に押し付けられるが、押し付けられたときにディスク状記録媒体１００の外周面との間に所定の摩擦力が発生し、ディスク状記録媒体１００の外周面に対して滑らないようにされている。
【００２０】
図１は、第１の搬送手段６として送りローラー９、９、・・・を用い、第２の搬送手段７として送り壁１１を用いたディスクローディング装置１Ａを示す図である。
【００２１】
送りローラー９、９、・・・は、搬送方向Ｙ１―Ｙ２に直交する方向である移動方向Ｘ１―Ｘ２に筐体２に対してそれぞれ移動可能とされている。送り壁１１は、Ｙ１―Ｙ２方向に長く形成され、筐体２に固定されている。送り壁１１も送りローラー９、９、・・・及び送り体１０、１０、・・・と同様に、ディスク状記録媒体１００の外周面との間に所定の摩擦力が発生し、ディスク状記録媒体１００の外周面に対して滑らないようにされている。
【００２２】
図１に示すディスクローディング装置１Ａにおいて、ディスク状記録媒体１００がディスク挿入口２ａから挿入されると、回転されている送りローラー９、９、・・・がＸ１方向へ移動されてディスク状記録媒体１００の外周面に順に押し付けられ、送りローラー９、９、・・・が押し付けられた当該ディスク状記録媒体１００の外周面が送り壁１１に押し付けられる。
【００２３】
従って、ディスク状記録媒体１００は、送りローラー９、９、・・・と送り壁１１とによって挟持された状態で、送りローラー９、９、・・・の回転によって順に送りローラー９、９、・・・間を受け渡されながらＹ１方向へ搬送される。ディスク状記録媒体１００は再生部３又はストッカー４まで搬送され、情報信号の再生又はディスク収納部への収納が行われる。
【００２４】
ディスク状記録媒体１００の搬送中には、送りローラー９、９、・・・は、ディスク状記録媒体１００の搬送位置に応じて当該ディスク状記録媒体１００の外周面に押し付けられるようにＸ１―Ｘ２方向へ移動される。
【００２５】
ディスク状記録媒体１００の再生部３又はストッカー４からのディスク挿入口２ａへ向けての搬送、即ち、Ｙ２方向への搬送は、ディスク状記録媒体１００が送りローラー９、９、・・・と送り壁１１とによって挟持された状態で、送りローラー９、９、・・・が上記とは逆方向へ回転することによって行われる。
【００２６】
図２は、第１の搬送手段６として送りローラー９、９、・・・を用い、第２の搬送手段７として送り体１０、１０、・・・を用いたディスクローディング装置１Ｂを示す図である。
【００２７】
送りローラー９、９、・・・と送り体１０、１０、・・・とは、筐体２に対してＸ１―Ｘ２方向へ互いに離接するように同期して移動可能とされている。
【００２８】
図２に示すディスクローディング装置１Ｂにおいて、ディスク状記録媒体１００がディスク挿入口２ａから挿入されると、回転されている送りローラー９、９、・・・がＸ１方向へ移動されると共に送り体１０、１０、・・・がＸ２方向へ同期して移動されてそれぞれディスク状記録媒体１００の外周面に互いに反対側から順に押し付けられる。
【００２９】
従って、ディスク状記録媒体１００は、送りローラー９、９、・・・と送り体１０、１０、・・・とによって挟持された状態で、送りローラー９、９、・・・の回転によって順に送りローラー９、９、・・・間を受け渡されながらＹ１方向へ搬送される。
【００３０】
ディスク状記録媒体１００の搬送中には、送りローラー９、９、・・・と送り体１０、１０、・・・は、それぞれディスク状記録媒体１００の搬送位置に応じて当該ディスク状記録媒体１００の外周面に押し付けられるようにＸ１―Ｘ２方向へ同期して移動される。
【００３１】
ディスク状記録媒体１００のＹ２方向への搬送は、ディスク状記録媒体１００が送りローラー９、９、・・・と送り体１０、１０、・・・とによって挟持された状態で、送りローラー９、９、・・・が上記とは逆方向へ回転することによって行われる。
【００３２】
尚、ディスクローディング装置１Ｂにあっては、送りローラー９、９、・・・と送り体１０、１０、・・・とをそれぞれＸ１―Ｘ２方向へ移動可能としているが、送りローラー９、９、・・・又は送り体１０、１０、・・・の何れか一方のみをＸ１―Ｘ２方向へ移動可能としてもよい。
【００３３】
図３は、第１の搬送手段６及び第２の搬送手段７として、何れも送りローラー９、９、・・・を用いたディスクローディング装置１Ｃを示す図である。
【００３４】
第１の搬送手段６として用いられた送りローラー９、９、・・・と第２の搬送手段７として用いられた送りローラー９、９、・・・とは、筐体２に対してＸ１―Ｘ２方向へ互いに離接するように同期して移動可能とされている。
【００３５】
図３に示すディスクローディング装置１Ｃにおいて、ディスク状記録媒体１００がディスク挿入口２ａから挿入されると、第１の搬送手段６として用いられ回転されている送りローラー９、９、・・・がＸ１方向へ移動されると共に第２の搬送手段７として用いられ回転されている送りローラー９、９、・・・がＸ２方向へ移動されてそれぞれディスク状記録媒体１００の外周面に順に押し付けられる。
【００３６】
従って、ディスク状記録媒体１００は、第１の搬送手段６として用いられた送りローラー９、９、・・・と第２の搬送手段７として用いられた送りローラー９、９、・・・とによって挟持された状態で、送りローラー９、９、・・・の回転によって順に送りローラー９、９、・・・間を受け渡されながらＹ１方向へ搬送される。
【００３７】
ディスク状記録媒体１００の搬送中には、第１の搬送手段６として用いられた送りローラー９、９、・・・と第２の搬送手段７として用いられた送りローラー９、９、・・・とが、それぞれディスク状記録媒体１００の搬送位置に応じて当該ディスク状記録媒体１００の外周面に押し付けられるようにＸ１―Ｘ２方向へ同期して移動される。
【００３８】
ディスク状記録媒体１００のＹ２方向への搬送は、ディスク状記録媒体１００が第１の搬送手段６として用いられた送りローラー９、９、・・・と第２の搬送手段７として用いられた送りローラー９、９、・・・とによって挟持された状態で、送りローラー９、９、・・・が上記とは逆方向へ回転することによって行われる。
【００３９】
尚、ディスクローディング装置１Ｃにあっては、第１の搬送手段６として用いられた送りローラー９、９、・・・と第２の搬送手段７として用いられた送りローラー９、９、・・・とをそれぞれＸ１―Ｘ２方向へ移動可能としているが、第１の搬送手段６として用いられた送りローラー９、９、・・・又は第２の搬送手段７として用いられた送りローラー９、９、・・・の何れか一方のみをＸ１―Ｘ２方向へ移動可能としてもよい。
【００４０】
上記したように、ディスクローディング装置１（ディスクローディング装置１Ａ、１Ｂ、１Ｃ）にあっては、回転する送りローラー９、９、・・・間を受け渡されてディスク状記録媒体１００が順に送られて搬送されるため、ディスク状記録媒体１００を載置して搬送するためのディスクトレイ等の手段を用いずにディスク状記録媒体１００を搬送することができ、使い勝手の向上を図ることができる。
【００４１】
また、必要に応じた数の送りローラー９、９、・・・を設けることにより、搬送ストロークを自由に設定することができ、設計の自由度の向上を図ることができる。特に、再生部の他にストッカーが設けられディスクチェンジャーとしての機能を有するディスクローディング装置にあっては、再生部とストッカーとの間でのディスク状記録媒体の搬送をも行う必要があり長い搬送ストロークを要するため、送りローラー９、９、・・・を用いることは設計の自由度の向上を図るために極めて有効な手段である。
【００４２】
さらに、送りローラー９、９、・・・、送り体１０、１０、・・・又は送り壁１１がディスク状記録媒体１００の外周面に押し付けられることにより該ディスク状記録媒体１００が搬送されるため、ディスク状記録媒体１００の記録面の損傷を回避することができる。
【００４３】
上記したディスクローディング装置１Ｂ、１Ｃにあっては、送りローラー９、９、・・・と送り体１０、１０、・・・、又は、第１の搬送手段６として用いられた送りローラー９、９、・・・と第２の搬送手段７として用いられた送りローラー９、９、・・・とを、搬送されるディスク状記録媒体１００の外周面に対して離接する方向へ同期して移動可能としているため、搬送されるディスク状記録媒体１００に対する送りローラー９、９、・・・と送り体１０、１０、・・・とによる負荷が安定すると共に送り動作の制御の容易化を図ることができる。
【００４４】
また、ディスクローディング装置１Ｃにあっては、送り手段８、８、・・・として回転可能な送りローラー９、９、・・・のみを用いているため、ディスク状記録媒体１００を安定してかつ確実に搬送することができる。
【００４５】
（２）ディスクローディング装置の具体的構成
以下に、ディスクローディング装置１の具体的な構成について説明する（図４乃至図１１参照）。
【００４６】
（ａ）全体の構成の概要
ディスクローディング装置１は、筐体２に所要の各部材及び各機構が配置されて成り、筐体２は支持シャーシ１２とベースシャーシ１５とが上下で結合されて成る（図４及び図５参照）。
【００４７】
ディスクローディング装置１には、図示は省略するが、ディスク状記録媒体１００を再生部３にローディングするためのローディング釦、ディスク状記録媒体１００を再生部３からイジェクトするためのイジェクト釦、ディスク状記録媒体１００に記録された情報信号の再生を行うための再生釦、再生動作を終了するための停止釦、ディスク状記録媒体１００をストッカー４へ収納するための収納釦、ディスク状記録媒体１００をストッカー４から取り出すための取出釦、再生部３とストッカー４との間でディスク状記録媒体１００の交換を行うためのイクスチェンジ釦等の操作者によって操作される各種の操作釦が設けられている。
【００４８】
（ｂ）支持シャーシ
支持シャーシ１２は略平板状に形成され、後端側に後方に開口された略半円状を為す大きな切欠部１３を有している（図４乃至図８参照）。
【００４９】
支持シャーシ１２の左右方向における中央部には、前後に離間して複数の案内孔１６、１６、・・・が形成され、該案内孔１６、１６、・・・は左右方向に長く形成されている（図６参照）。案内孔１６、１６、・・・は支持シャーシ１２の左端部及び右端部の後端側の部分にも形成されている。
【００５０】
支持シャーシ１２の左端側には、前後に離間して左側挿通孔１７、１７、・・・が形成され、該左側挿通孔１７、１７、・・・は左右方向に長く形成されている。支持シャーシ１２の右端側には、前後に離間して右側挿通孔１８、１８、・・・が形成され、該右側挿通孔１８、１８、・・・は左右方向に長く形成されている。
【００５１】
支持シャーシ１２の略中央部には、円形状を為すプーリー支持孔１９が形成されている。
【００５２】
支持シャーシ１２の上面には、その右端寄りの位置に前後に離間して上方へ突出されたバネ掛け突部１４、１４、・・・が設けられている。バネ掛け突部１４は支持シャーシ１２の左端側にも一つ設けられ、該バネ掛け突部１４は支持シャーシ１２の前端側に位置されている。
【００５３】
（ｃ）第１のスライド手段
支持シャーシ１２の前端部には第１のスライド手段２０が左右方向へスライド自在に支持されており、該第１のスライド手段２０は駆動側スライダー２１と従動側スライダー２２とによって構成されている（図７及び図８参照）。
【００５４】
駆動側スライダー２１は略左右方向に長い主部２１ａと該主部２１ａの左端部から前方へ突出された規制突部２１ｂとから成る。規制突部２１ｂの下面には下方へ突出された支持筒部２１ｃが設けられ、主部２１ａの下面の右端寄りの位置には下方へ突出された被案内ピン２１ｄが設けられている。主部２１ａの前面にはラック部２１ｅが形成されている。
【００５５】
駆動側スライダー２１は、支持筒部２１ｃが最前列の左側挿通孔１７に上方から挿入され、被案内ピン２１ｄが前から２列目の案内孔１６に上方から挿入され、支持筒部２１ｃと被案内ピン２１ｄとがそれぞれ左側挿通孔１７と案内孔１６とに案内されて支持シャーシ１２に対して左右方向へスライド可能とされる。
【００５６】
駆動側スライダー２１が支持シャーシ１２に支持された状態において、主部２１ａの右端部とその右側に位置するバネ掛け突部１４との間にバネ部材（引張コイルバネ）２３が張設される。従って、駆動側スライダー２１がバネ部材２３によって右方へ付勢される。
【００５７】
従動側スライダー２２は左右方向に長い主部２２ａと該主部２２ａの右端側の位置から後方へ突出された押圧突部２２ｂとから成る。主部２２ａの下面の右端部には下方へ突出された取付軸部２２ｃが設けられ、主部２２ａの下面の左端寄りの位置には下方へ突出された被案内ピン２２ｄが設けられている。主部２２ａの後面にはラック部２２ｅが形成されている。主部２２ａの左端部は規制部２２ｆとして設けられている。
【００５８】
従動側スライダー２２は、取付軸部２２ｃが最前列の右側挿通孔１８に上方から挿入され、被案内ピン２２ｄが最前列の案内孔１６に上方から挿入され、取付軸部２２ｃと被案内ピン２２ｄとがそれぞれ右側挿通孔１８と案内孔１６とに案内されて支持シャーシ１２に対して左右方向へスライド可能とされる。
【００５９】
従動側スライダー２２が支持シャーシ１２に支持された状態において、取付軸部２２ｃに第１の送り体１０ａが取り付けられている（図８及び図９参照）。第１の送り体１０ａは扁平な略円柱状に形成され、支持シャーシ１２の下面側に配置されている。第１の送り体１０ａの全周には保持溝部１０ｂが形成されている。第１の送り体１０ａは従動側スライダー２２に対して固定されている。
【００６０】
駆動側スライダー２１及び従動側スライダー２２がそれぞれ支持シャーシ１２に支持された状態において、支持シャーシ１２の駆動側スライダー２１と従動側スライダー２２との間に、ラック部２１ｅとラック部２２ｅとに噛合されるピニオン２４が回転自在に支持される（図８参照）。従って、駆動側スライダー２１と従動側スライダー２２とは同期して左右方向へスライドされる。また、従動側スライダー２２には、駆動側スライダー２１及びピニオン２４を介してバネ部材２３による左方への付勢力が付与される。
【００６１】
上記のように、バネ部材２３によって、駆動側スライダー２１が右方へ付勢されると共に従動側スライダー２２が左方へ付勢されており、駆動側スライダー２１及び従動側スライダー２２に外力が付与されていない状態において、駆動側スライダー２１の規制突部２１ｂと従動側スライダー２２の規制部２２ｆとが接触されて駆動側スライダー２１の右方への移動及び従動側スライダー２２の左方への移動が規制されている（図７参照）。
【００６２】
（ｄ）第２のスライド手段
支持シャーシ１２の第１のスライド手段２０の後側の位置には、第２のスライド手段２５が左右方向へスライド自在に支持されており、該第２のスライド手段２５は駆動側スライダー２６と従動側スライダー２７とによって構成されている（図７及び図８参照）。
【００６３】
駆動側スライダー２６は左右方向に長い主部２６ａと該主部２６ａの略左半部から後方へ突出された突出部２６ｂと主部２６ａの左端寄りの位置から前方へ突出された規制突部２６ｃとから成る。突出部２６ｂの下面の左端部と主部２６ａの下面の左端部とには、前後に離間してそれぞれ下方へ突出された支持筒部２６ｄ、２６ｄが設けられ、主部２６ａの下面の右端寄りの位置には下方へ突出された被案内ピン２６ｅが設けられている。主部２６ａの前面にはラック部２６ｆが形成されている。主部２６ａの右端部は規制部２６ｇとして形成されている。
【００６４】
駆動側スライダー２６は、支持筒部２６ｄ、２６ｄがそれぞれ左側挿通孔１７、１７に上方から挿入され、被案内ピン２６ｅが案内孔１６に上方から挿入され、支持筒部２６ｄ、２６ｄと被案内ピン２６ｅとがそれぞれ左側挿通孔１７、１７と案内孔１６とに案内されて支持シャーシ１２に対して左右方向へスライド可能とされる。
【００６５】
従動側スライダー２７は左右方向に長い主部２７ａと該主部２７ａの右端部から後方へ突出された規制突部２７ｂと主部２７ａの右端部の上縁から前方へ突出された被押圧突部２７ｃとから成る。主部２７ａの下面の右端部と規制突部２７ｂの下面の右端部とには、前後に離間してそれぞれ下方へ突出された取付軸部２７ｄ、２７ｄが設けられ、主部２７ａの下面の左端寄りの位置には下方へ突出された被案内ピン２７ｅが設けられている。主部２７ａの後面にはラック部２７ｆが形成されている。主部２７ａの左端部は規制部２７ｇとして設けられている。
【００６６】
従動側スライダー２７は、取付軸部２７ｄ、２７ｄがそれぞれ右側挿通孔１８、１８に上方から挿入され、被案内ピン２７ｅが案内孔１６に上方から挿入され、取付軸部２７ｄ、２７ｄと被案内ピン２７ｅとがそれぞれ右側挿通孔１８、１８と案内孔１６とに案内されて支持シャーシ１２に対して左右方向へスライド可能とされる。
【００６７】
従動側スライダー２７が支持シャーシ１２に支持された状態において、主部２７ａの左右方向における略中央の部分とその左側に位置するバネ掛け突部１４との間にバネ部材（引張コイルバネ）２８が張設される。従って、従動側スライダー２７がバネ部材２８によって左方へ付勢される。
【００６８】
従動側スライダー２７が支持シャーシ１２に支持された状態において、取付軸部２７ｄ、２７ｄにそれぞれ第２の送り体１０ｃと第３の送り体１０ｅとが取り付けられている（図８及び図９参照）。第２の送り体１０ｃ及び第３の送り体１０ｅはそれぞれ扁平な略円柱状に形成され、支持シャーシ１２の下面側に配置されている。第２の送り体１０ｃ及び第３の送り体１０ｅの全周にはそれぞれ保持溝部１０ｄ、１０ｆが形成されている。第２の送り体１０ｃ及び第３の送り体１０ｅはそれぞれ従動側スライダー２７に対して固定されている。
【００６９】
駆動側スライダー２６及び従動側スライダー２７がそれぞれ支持シャーシ１２に支持された状態において、支持シャーシ１２の駆動側スライダー２６と従動側スライダー２７との間に、ラック部２６ｆとラック部２７ｆとに噛合されるピニオン２９が回転自在に支持される（図８参照）。従って、駆動側スライダー２６と従動側スライダー２７とは同期して左右方向へスライドされる。また、駆動側スライダー２６には、従動側スライダー２７及びピニオン２９を介してバネ部材２８による右方への付勢力が付与される。
【００７０】
上記のように、バネ部材２８によって、駆動側スライダー２６が右方へ付勢されると共に従動側スライダー２７が左方へ付勢されており、駆動側スライダー２６及び従動側スライダー２７に外力が付与されていない状態において、駆動側スライダー２６の規制突部２６ｃと従動側スライダー２７の規制部２７ｇとが接触されると共に駆動側スライダー２６の規制部２６ｇと従動側スライダー２７の規制突部２７ｂとが接触されて駆動側スライダー２６の右方への移動及び従動側スライダー２７の左方への移動が規制されている（図７参照）。
【００７１】
上記した第１のスライド手段２０の駆動側スライダー２１と従動側スライダー２２とが同期してスライドされ、従動側スライダー２２が所定の位置まで右方へ移動されたときには、従動側スライダー２２の押圧突部２２ｂが第２のスライド手段２５の従動側スライダー２７の被押圧突部２７ｃを右方へ押圧する。従って、従動側スライダー２２の移動に伴って駆動側スライダー２６及び従動側スライダー２７が左右方向へ同期してスライドされる。
【００７２】
（ｅ）第３のスライド手段
支持シャーシ１２のプーリー支持孔１９の後側の位置には第３のスライド手段３０が左右方向へスライド自在に支持されており、該第３のスライド手段３０は第１のスライダー３１と第２のスライダー３２とによって構成されている（図７及び図８参照）。
【００７３】
第１のスライダー３１は略左右方向に長い主部３１ａと該主部３１ａの左端部から前方へ突出された規制突部３１ｂとから成る。規制突部３１ｂの下面には下方へ突出された支持軸部３１ｃが設けられ、主部３１ａの下面の右端寄りの位置には下方へ突出された被案内ピン３１ｄが設けられている。主部３１ａの前面にはラック部３１ｅが形成されている。
【００７４】
第１のスライダー３１は、支持軸部３１ｃが左側挿通孔１７に上方から挿入され、被案内ピン３１ｄが案内孔１６に上方から挿入され、支持軸部３１ｃと被案内ピン３１ｄとがそれぞれ左側挿通孔１７と案内孔１６とに案内されて支持シャーシ１２に対して左右方向へスライド可能とされる。
【００７５】
第１のスライダー３１の支持軸部３１ｃには、第１の規制コロ３３が回転自在に支持されている（図８及び図１０参照）。
【００７６】
第１のスライダー３１が支持シャーシ１２に支持された状態において、主部３１ａの右端部とその右側に位置するバネ掛け突部１４との間にバネ部材（引張コイルバネ）３４が張設される。従って、第１のスライダー３１がバネ部材３４によって右方へ付勢される。
【００７７】
第２のスライダー３２は左右方向に長い主部３２ａと該主部３２ａの右端部から前方へ突出された突出部３２ｂと主部３２ａの右端部の上縁部から後方へ突出された被押圧突部３２ｃとから成る（図７及び図８参照）。突出部３２ｂの下面の右端部には下方へ突出された支持軸部３２ｄが設けられ、主部３２ａの下面の左端寄りの位置には下方へ突出された被案内ピン３２ｅが設けられている。主部３２ａの後面にはラック部３２ｆが形成されている。主部３２ａの左端部は規制部３２ｇとして設けられている。
【００７８】
第２のスライダー３２は、支持軸部３２ｄが右側挿通孔１８に上方から挿入され、被案内ピン３２ｅが案内孔１６に上方から挿入され、支持軸部３２ｄと被案内ピン３２ｅとがそれぞれ右側挿通孔１８と案内孔１６とに案内されて支持シャーシ１２に対して左右方向へスライド可能とされる。
【００７９】
第２のスライダー３２の支持軸部３２ｄには、第２の規制コロ３５が回転自在に支持されている（図８及び図１０参照）。
【００８０】
第１のスライダー３１及び第２のスライダー３２がそれぞれ支持シャーシ１２に支持された状態において、支持シャーシ１２の第１のスライダー３１と第２のスライダー３２との間に、ラック部３１ｅとラック部３２ｆとに噛合されるピニオン３６が回転自在に支持される（図８参照）。従って、第１のスライダー３１と第２のスライダー３２とは同期して左右方向へスライドされる。また、第２のスライダー３２には、第１のスライダー３１及びピニオン３６を介してバネ部材３４による左方への付勢力が付与される。
【００８１】
上記のように、バネ部材３４によって、第１のスライダー３１が右方へ付勢されると共に第２のスライダー３２が左方へ付勢されており、第１のスライダー３１及び第２のスライダー３２に外力が付与されていない状態において、第１のスライダー３１の規制突部３１ｂと第２のスライダー３２の規制部３２ｇとが接触されて第１のスライダー３１の右方への移動及び第２のスライダー３２の左方への移動が規制されている。
【００８２】
（ｆ）第４のスライド手段
支持シャーシ１２の第３のスライド手段３０の後側には第４のスライド手段３７が左右方向へスライド自在に支持されており、該第４のスライド手段３７は駆動側スライダー３８と従動側スライダー３９とによって構成されている（図７及び図８参照）。
【００８３】
駆動側スライダー３８は左右方向に長い主部３８ａと該主部３８ａの左右方向における中央部より稍左方に寄った位置から前方へ突出された規制突部３８ｂとから成る。主部３８ａの下面の左端寄りの位置には下方へ突出された支持筒部３８ｃが設けられ、主部３８ａの下面の右端寄りの位置には下方へ突出された被案内ピン３８ｄが設けられている。主部３８ａの前面にはラック部３８ｅが形成されている。
【００８４】
駆動側スライダー３８は、支持筒部３８ｃが左側挿通孔１７に上方から挿入され、被案内ピン３８ｄが案内孔１６に上方から挿入され、支持筒部３８ｃと被案内ピン３８ｄとがそれぞれ左側挿通孔１７と案内孔１６とに案内されて支持シャーシ１２に対して左右方向へスライド可能とされる。
【００８５】
駆動側スライダー３８が支持シャーシ１２に支持された状態において、主部３８ａの右端部とその右側に位置するバネ掛け突部１４との間にバネ部材（引張コイルバネ）４０が張設される。従って、駆動側スライダー３８がバネ部材４０によって右方へ付勢される。
【００８６】
従動側スライダー３９は左右方向に長い主部３９ａと該主部３９ａの右端部から後方へ突出された突出部３９ｂと主部３９ａの右端側の位置から前方へ突出された押圧突部３９ｃとから成る。突出部３９ｂの下面には下方へ突出された取付軸部３９ｄが設けられ、主部３９ａの下面の左端部には下方へ突出された被案内ピン３９ｅが設けられている。主部３９ａの後面にはラック部３９ｆが形成されている。主部３９ａの左端部は規制部３９ｇとして設けられている。
【００８７】
従動側スライダー３９は、取付軸部３９ｄが右側挿通孔１８に上方から挿入され、被案内ピン３９ｅが案内孔１６に上方から挿入され、取付軸部３９ｄと被案内ピン３９ｅとがそれぞれ右側挿通孔１８と案内孔１６とに案内されて支持シャーシ１２に対して左右方向へスライド可能とされる。
【００８８】
従動側スライダー３９が支持シャーシ１２に支持された状態において、取付軸部３９ｄに第４の送り体１０ｇが取り付けられている（図８及び図９参照）。第４の送り体１０ｇは扁平な略円柱状に形成され、支持シャーシ１２の下面側に配置されている。第４の送り体１０ｇの全周には保持溝部１０ｈが形成されている。第４の送り体１０ｇは従動側スライダー３９に対して固定されている。
【００８９】
駆動側スライダー３８及び従動側スライダー３９がそれぞれ支持シャーシ１２に支持された状態にあっては、従動側スライダー３９の押圧突部３９ｃが第３のスライド手段３０の第１のスライダー３１の段差部３１ｆの右側において、第１のスライダー３１の上方に位置され、第３のスライド手段３０の第２のスライダー３２の被押圧突部３２ｃに左方から当接されている。
【００９０】
駆動側スライダー３８及び従動側スライダー３９がそれぞれ支持シャーシ１２に支持された状態において、支持シャーシ１２の駆動側スライダー３８と従動側スライダー３９との間に、ラック部３８ｅとラック部３９ｆとに噛合されるピニオン４１が回転自在に支持される（図８参照）。従って、駆動側スライダー３８と従動側スライダー３９とは同期して左右方向へスライドされる。また、従動側スライダー３９には、駆動側スライダー３８及びピニオン４１を介してバネ部材４０による左方への付勢力が付与される。
【００９１】
上記のように、バネ部材４０によって、駆動側スライダー３８が右方へ付勢されると共に従動側スライダー３９が左方へ付勢されており、駆動側スライダー３８及び従動側スライダー３９に外力が付与されていない状態において、駆動側スライダー３８の規制突部３８ｂと従動側スライダー３９の規制部３９ｇとが接触されて駆動側スライダー３８の右方への移動及び従動側スライダー３９の左方への移動が規制されている。
【００９２】
上記した駆動側スライダー３８と従動側スライダー３９とが同期してスライドされると、従動側スライダー３９の押圧突部３９ｃが第３のスライド手段３０の第２のスライダー３２の被押圧突部３２ｃを右方へ押圧する。従って、従動側スライダー３９の移動に伴って第１のスライダー３１及び第２のスライダー３２が左右方向へ同期してスライドされる。
【００９３】
（ｇ）第５のスライド手段
支持シャーシ１２の第４のスライド手段３７の後側には第５のスライド手段４２が左右方向へスライド自在に支持されており、該第５のスライド手段４２は駆動側スライダー４３と従動側スライダー４４とによって構成されている（図７及び図８参照）。
【００９４】
駆動側スライダー４３は左右方向に長い主部４３ａと該主部４３ａの左半部から後方へ突出された規制突部４３ｂと該規制突部４３ｂの左端部から左斜め後方へ突出された突出部４３ｃとから成る。突出部４３ｃの下面には前後に離間して下方へ突出された支持筒部４３ｄ、４３ｄが設けられている。駆動側スライダー４３の下面には下方へ突出された被案内ピン４３ｅ、４３ｅ、４３ｅが設けられている。主部４３ａの後面にはラック部４３ｆが形成されている。駆動側スライダー４３には、その左端寄りの位置に第１のスイッチング突部４３ｇが設けられ、該第１のスイッチング突部４３ｇの左側の位置に第２のスイッチング突部４３ｈが設けられている。
【００９５】
駆動側スライダー４３は、支持筒部４３ｄ、４３ｄがそれぞれ左側挿通孔１７、１７に上方から挿入され、被案内ピン４３ｅ、４３ｅ、４３ｅがそれぞれ案内孔１６、１６、１６に上方から挿入され、支持筒部４３ｄ、４３ｄと被案内ピン４３ｅ、４３ｅ、４３ｅとがそれぞれ左側挿通孔１７、１７と案内孔１６、１６、１６とに案内されて支持シャーシ１２に対して左右方向へスライド可能とされる。
【００９６】
駆動側スライダー４３が支持シャーシ１２に支持された状態において、主部４３ａの右端部とその右側に位置するバネ掛け突部１４との間にバネ部材（引張コイルバネ）４５が張設される。従って、駆動側スライダー４３がバネ部材４５によって右方へ付勢される。
【００９７】
従動側スライダー４４は左右方向に長い主部４４ａと該主部４４ａの右端部から右斜め後方へ突出された突出部４４ｂとから成る。突出部４４ｂには前後に離間して下方へ突出された取付軸部４４ｃ、４４ｃが設けられている。従動側スライダー４４の下面には下方へ突出された被案内ピン４４ｄ、４４ｄ、４４ｄが設けられている。主部４４ａの前面にはラック部４４ｅが形成されている。主部４４ａの左端部は規制部４４ｆとして設けられている。
【００９８】
従動側スライダー４４は、取付軸部４４ｃ、４４ｃがそれぞれ右側挿通孔１８、１８に上方から挿入され、被案内ピン４４ｄ、４４ｄ、４４ｄがそれぞれ案内孔１６、１６、１６に上方から挿入され、取付軸部４４ｃ、４４ｃと被案内ピン４４ｄ、４４ｄ、４４ｄとがそれぞれ右側挿通孔１８、１８と案内孔１６、１６、１６とに案内されて支持シャーシ１２に対して左右方向へスライド可能とされる。
【００９９】
従動側スライダー４４が支持シャーシ１２に支持された状態において、取付軸部４４ｃ、４４ｃにそれぞれ第５の送り体１０ｉと第６の送り体１０ｋとが取り付けられている（図８及び図９参照）。第５の送り体１０ｉ及び第６の送り体１０ｋはそれぞれ扁平な略円柱状に形成され、支持シャーシ１２の下面側に配置されている。第５の送り体１０ｉ及び第６の送り体１０ｋの全周にはそれぞれ保持溝部１０ｊ、１０ｌが形成されている。第５の送り体１０ｉ及び第６の送り体１０ｋはそれぞれ従動側スライダー４４に対して固定されている。
【０１００】
駆動側スライダー４３及び従動側スライダー４４がそれぞれ支持シャーシ１２に支持された状態において、支持シャーシ１２の駆動側スライダー４３と従動側スライダー４４との間に、ラック部４３ｆとラック部４４ｅとに噛合されるピニオン４６が回転自在に支持される（図８参照）。従って、駆動側スライダー４３と従動側スライダー４４とは同期して左右方向へスライドされる。また、従動側スライダー４４には、駆動側スライダー４３及びピニオン４６を介してバネ部材４５による左方への付勢力が付与される。
【０１０１】
上記のように、バネ部材４５によって、駆動側スライダー４３が右方へ付勢されると共に従動側スライダー４４が左方へ付勢されており、駆動側スライダー４３及び従動側スライダー４４に外力が付与されていない状態において、駆動側スライダー４３の規制突部４３ｂと従動側スライダー４４の規制部４４ｆとが接触されて駆動側スライダー４３の右方への移動及び従動側スライダー４４の左方への移動が規制されている。
【０１０２】
上記した各送り体１０ａ、１０ｃ、１０ｅ、１０ｇ、１０ｉ、１０ｋには、その保持溝部１０ｂ、１０ｄ、１０ｆ、１０ｈ、１０ｊ、１０ｌに、例えば、図示しない円環状のゴム部材が取り付けられており、ディスク状記録媒体１００の外周面に押し付けられたときに所定の摩擦力が発生し、ディスク状記録媒体１００の外周面に対して滑らないようにされている。
【０１０３】
一方、上記第１の規制コロ３３と第２の規制コロ３５は、滑り性の良好な樹脂材料等によって形成されており、ディスク状記録媒体１００の外周面に対して滑りながら回転するようにされている。
【０１０４】
上記した各送り体１０ａ、１０ｃ、１０ｅ、１０ｇ、１０ｉ、１０ｋによって上記した第２の搬送手段７が構成される。
【０１０５】
（ｈ）チャッキングプーリー
支持シャーシ１２のプーリー支持孔１９にはチャッキングプーリー４７が回転自在かつ上下方向に移動自在に支持されている（図４、図５及び図７参照）。
【０１０６】
（ｉ）モード形成用駆動機構
ベースシャーシ１５の下面側には、後述する５つの動作モードを形成するためのモード形成用駆動機構が配置され、該モード形成用駆動機構はベースシャーシ１５の前端部に取り付けられたモード用モーター４８の駆動力によって動作される。
【０１０７】
モード形成用駆動機構は、ベースシャーシ１５の下面に配置された第１のロータリーエンコーダーを有し、該第１のロータリーエンコーダーは、その回転量によりモード用モーター４８の回転量の検出を行う機能を有する。従って、第１のロータリーエンコーダーのモード用モーター４８の回転量の検出に基づいてモード用モーター４８の回転が制御され、後述する各動作モードが設定される。
【０１０８】
（ｊ）ベースユニット
ベースシャーシ１５には、ベースユニット４９が回動可能に支持され、該ベースユニット４９は支持ベース５０を有している（図５参照）。支持ベース５０にはディスク状記録媒体１００に記録された情報信号の再生を行う光ピックアップ５１がディスク状記録媒体１００の半径方向へ移動自在に支持されている。光ピックアップ５１は対物レンズ５１ａを有し、該対物レンズ５１ａを介してレーザー光がディスク状記録媒体１００に照射されるようになっている。ベースユニット４９には図示しないスピンドルモーターが設けられ、該スピンドルモーターのモーター軸にディスクテーブル５２が固定されている。
【０１０９】
（ｋ）ディスクセンサー
ベースシャーシ１５には、その前端部に形成された光透過孔１５ａの下側にディスクセンサー５３が配置されている（図５参照）。ディスクセンサー５３は、例えば、反射型の光センサーであり、光透過孔１５ａを介して上方へ向けて検出光を出射しディスク状記録媒体１００の有無の判別を行う機能を有する。
【０１１０】
（ｌ）搬送用駆動機構
搬送用駆動機構は、上記第１の搬送手段６として設けられた各送りローラー９ａ、９ｃ、９ｅ、９ｇ、９ｉ、９ｋを回転させるための駆動機構であり、ベースシャーシ１５の中央部に取り付けられた駆動モーター５４の駆動力によって動作される。
【０１１１】
（ｍ）サブシャーシ
ベースシャーシ１５の左端部には縦長の形状に形成されたサブシャーシ５５が取り付けられている（図４及び図５参照）。
【０１１２】
（ｎ）首振機構
サブシャーシ５５の上面側には、前側から順に第１の首振機構５６、第２の首振機構５７、第３の首振機構５８及び第４の首振機構５９が回動自在に支持されている（図５参照）。各首振機構５６、５７、５８、５９はそれぞれ互いに回動可能に支持された複数の回動レバーを有している。第１の首振機構５６には第１の送りローラー９ａが支持軸６０を介して回転自在に支持され、第２の首振機構５７には第２の送りローラー９ｃ、第３の送りローラー９ｅがそれぞれ支持軸６１、６２を介して回転自在に支持され、第３の首振機構５８には第４の送りローラー９ｇが支持軸６３を介して回転自在に支持され、第４の首振機構５９には第５の送りローラー９ｉ、第６の送りローラー９ｋがそれぞれ支持軸６４、６５を介して回転自在に支持されている。支持軸６０、６１、６２、６３、６４、６５は、それぞれ各送りローラー９ａ、９ｃ、９ｅ、９ｇ、９ｉ、９ｋから上方へ突出されている。
【０１１３】
各送りローラー９ａ、９ｃ、９ｅ、９ｇ、９ｉ、９ｋは、それぞれ駆動モーター５４の駆動力が上記搬送用駆動機構を介して伝達されて回転され、駆動モーター５４の回転方向に応じた方向へ同時に回転される。
【０１１４】
各送りローラー９ａ、９ｃ、９ｅ、９ｇ、９ｉ、９ｋは、上記した第１の搬送手段６を構成する。上記支持シャーシ１２に支持された各従動側スライダー２２、２７、３９、４４に取り付けられた第２の搬送手段７を構成する各送り体１０ａ、１０ｃ、１０ｅ、１０ｇ、１０ｉ、１０ｋと上記各送りローラー９ａ、９ｃ、９ｅ、９ｇ、９ｉ、９ｋとは、それぞれ上記送り手段８、８、・・・として機能する。第１の搬送手段６と第２の搬送手段７とは搬送機構５の構成要素とされる。
【０１１５】
（ｏ）ストッカー昇降機構
ストッカー昇降機構はベースシャーシ１５の後端側に配置され、ベースシャーシ１５の後端部に取り付けられた昇降用モーター６６の駆動力によって動作される。ストッカー昇降機構はベースシャーシ１５の後端側に昇降自在に支持されたストッカー４を昇降させるための機構である。
【０１１６】
ストッカー昇降機構は第２のロータリーエンコーダーを有し、該第２のロータリーエンコーダーは、その回転量により昇降用モーター６６の回転量の検出を行う機能を有する。従って、第２のロータリーエンコーダーの昇降用モーター６６の回転量の検出に基づいて昇降用モーター６６の回転が制御され、ストッカー４の高さ位置が設定される。
【０１１７】
ストッカー４には、大径のディスク状記録媒体１００ａ、１００ａ、・・・がそれぞれ収納されるディスク収納部４ａ、４ａ、・・・が積層状に形成されている（図４及び図５参照）。
【０１１８】
（ｐ）筐体の構成
以上のようにして各部が配置されたベースシャーシ１５に、各部が配置された支持シャーシ１２が上方から取り付けられて筐体２が構成される（図４及び図５参照）。ベースシャーシ１５に支持シャーシ１２が取り付けられた状態においては、両者の間に所定の大きさの空間が形成され、該空間がディスク状記録媒体１００、１００、・・・が挿入されて搬送される搬送空間とされる。
【０１１９】
筐体２が構成された状態においては、第１の送りローラー９ａを支持する支持軸６０が第１のスライド手段２０の駆動側スライダー２１の支持筒部２１ｃに回転自在に支持され、第２の送りローラー９ｃ、第３の送りローラー９ｅをそれぞれ支持する支持軸６２、６３がそれぞれ第２のスライド手段２５の駆動側スライダー２６の支持筒部２６ｄ、２６ｄに回転自在に支持され、第４の送りローラー９ｇを支持する支持軸６３が第４のスライド手段３７の駆動側スライダー３８の支持筒部３８ｃに回転自在に支持され、第５の送りローラー９ｉ、第６の送りローラー９ｋをそれぞれ支持する支持軸６４、６５がそれぞれ第５のスライド手段４２の駆動側スライダー４３の支持筒部４３ｄ、４３ｄに回転自在に支持される。
【０１２０】
（ｑ）検出スイッチ
ベースシャーシ１５には制御動作回路部が配置され、該制御動作回路部からは４つの接続ケーブル６７、６７、・・・が引き出されている（図４参照）。
【０１２１】
支持シャーシ１２の左端部には前後に離間して４つのスイッチ取付基板６８、６８、・・・が取り付けられており、最も前側に位置するスイッチ取付基板６８に第１の検出スイッチ６９が搭載され、前から２番目に位置するスイッチ取付基板６８に第２の検出スイッチ７０、７１が搭載され、前から３番目に位置するスイッチ取付基板６８に第３の検出スイッチ７２が搭載され、最も後側に位置するスイッチ取付基板６８の前端部に第４の検出スイッチ７３が搭載され、最も後側に位置するスイッチ取付基板６８の後端部に第５の検出スイッチ７４、７５が搭載されている（図４参照）。
【０１２２】
各検出スイッチ６９、７０、７１、７２、７３、７４、７５は、それぞれ接続ケーブル６７、６７、・・・を介して制御動作回路部に接続されている。
【０１２３】
各検出スイッチ６９、７０、７１、７２、７３、７４、７５は、それぞれ操作されていない状態においてＬｏｗ状態とされている。
【０１２４】
第１の検出スイッチ６９は第１のスライド手段２０の駆動側スライダー２１が左方へ移動されたときに主部２１ａによって操作されてＨｉｇｈ状態とされ、第２の検出スイッチ７０、７１はそれぞれ第２のスライド手段２５の駆動側スライダー２６が左方へ移動されたときに突出部２６ｂによって操作されてＨｉｇｈ状態とされ、第３の検出スイッチ７２は第３のスライド手段３０の第１のスライダー３１が左方へ移動されたときに主部３１ａによって操作されてＨｉｇｈ状態とされ、第４の検出スイッチ７３は第４のスライド手段３７の駆動側スライダー３８が左方へ移動されたときに主部３８ａによって操作されてＨｉｇｈ状態とされ、第５の検出スイッチ７４、７５は第５のスライド手段４２の駆動側スライダー４３が右方へ移動されたときにそれぞれ第１のスイッチング突部４３ｇ、第２のスイッチング突部４３ｈによって操作されてＨｉｇｈ状態とされる。
【０１２５】
（ｒ）制御部
ディスクローディング装置１の各動作はマイクロコンピューターを有する制御動作回路部７６によって制御される（図１１参照）。
【０１２６】
上記光ピックアップ５１は、ピックアップドライバー７７を介して制御動作回路部７６によって制御される。
【０１２７】
モード用モーター４８は、第１のロータリーエンコーダー７８からの制御動作回路部７６への入力に基づいて、第１のモータードライバー７９を介して制御動作回路部７６によって制御され、上記したように、モード形成用駆動機構８０がモード用モーター４８の駆動力によって動作される。
【０１２８】
駆動モーター５４は、各検出スイッチ６９、７０、７１、７２、７３、７４、７５及びディスクセンサー５３からの制御動作回路部７６への入力に基づいて、第２のモータードライバー８１を介して制御動作回路部７６によって制御され、上記したように、搬送用駆動機構８２が駆動モーター５４の駆動力によって動作される。
【０１２９】
従って、各検出スイッチ６９、７０、７１、７２、７３、７４、７５、ディスクセンサー５３及び制御動作回路部７６は、搬送用駆動機構８２の制御を司る制御部８３として機能する。
【０１３０】
昇降用モーター６６は、第２のロータリーエンコーダー８４からの制御動作回路部７６への入力に基づいて、第３のモータードライバー８５を介して制御動作回路部７６によって制御され、上記したように、ストッカー昇降機構８６が昇降用モーター６６の駆動力によって動作される。
【０１３１】
（３）ディスクローディング装置の制御動作
以下に、ディスクローディング装置１において行われる制御動作について説明する（図１２乃至図２１参照）。
【０１３２】
（ａ）５つの動作モード
ディスクローディング装置１においては、以下の動作において５つの動作モードが設定される。
【０１３３】
この５つの動作モードは、大径のディスク状記録媒体１００ａ又は小径のディスク状記録媒体１００ｂがディスク挿入口２ａと再生部３との間を搬送されるときの前方ローディングモード、ストッカー４が昇降動作されるときの昇降モード、ディスク状記録媒体１００ａが再生部３とストッカー４との間を搬送されるときの後方ローディングモード、再生部３に搬送されたディスク状記録媒体１００ａ又はディスク状記録媒体１００ｂをチャッキングし又はその解除を行うチャッキングモード、チャッキングされたディスク状記録媒体１００ａ又はディスク状記録媒体１００ｂの送りローラー９及び送り体１０による保持を解除して再生可能な状態とするプレイモードである。
【０１３４】
（ｂ）制御動作の概要
次に、ディスクローディング装置１において行われる制御動作の概要について説明する（図１２参照）。
【０１３５】
尚、以下のディスクローディング装置１の動作の説明にあっては、簡単のため、第１の検出スイッチ６９をＳＷ１、右側に位置する第２の検出スイッチ７０をＳＷ２ａ、左側に位置する第２の検出スイッチ７１をＳＷ２ｂ、第３の検出スイッチ７２をＳＷ３、第４の検出スイッチ７３をＳＷ４、右側に位置する第５の検出スイッチ７４をＳＷ５ａ、左側に位置する第５の検出スイッチ７５をＳＷ５ｂとする。
【０１３６】
ディスクローディング装置１にあっては、以下の各ステップにおける検出・処理等が、例えば、４ｍｓｅｃ毎に行われるようになっている。
【０１３７】
＜Ｓ１＞
ディスクローディング装置１の制御動作が開始され、各ＳＷ１〜ＳＷ５ｂ、ディスクセンサー５３及び各ロータリーエンコーダー７８、８４からの制御動作回路部７６への入力を取得して当該入力を確定するための入力取得処理が行われる。当該入力に基づいてディスク状記録媒体１００の搬送位置、ディスク状記録媒体１００のサイズ、動作モード状態、ストッカー４の昇降位置が換算されるが、入力取得処理の具体的な処理動作については後述する。入力取得処理が終了すると、次の＜Ｓ２＞に移行する。
【０１３８】
＜Ｓ２＞
入力取得処理が終了すると、メカエラーの有無が検出される。メカエラーとは、例えば、ディスクローディング装置１に設けられた各機構が異常な動作を行ったときのエラーや所定時間内に所定の動作が行われなかったとき等のエラーである。メカエラーが検出されなかった場合には＜Ｓ３＞に移行する。メカエラーが検出された場合には＜Ｓ８＞に移行する。
【０１３９】
＜Ｓ３＞
メカエラーが検出されなかった場合には、初期化処理が終了しているか否かが検出される。初期化処理とは、ディスクローディング装置１の図示しない電源釦が投入されたときにモード形成用駆動機構８０、搬送用駆動機構８２及びストッカー昇降機構８６の動作によって行われる処理であり、各動作モードの検出、ディスク状記録媒体１００の位置の検出、ストッカー４の昇降位置の検出等が行われ、次の動作に移るための準備処理である。初期化処理の終了が検出された場合には＜Ｓ４＞に移行する。初期化処理の終了が検出されなかった場合には＜Ｓ５＞に移行する。
【０１４０】
＜Ｓ４＞
初期化処理の終了が検出された場合には、シーケンス処理が行われる。シーケンス処理とは、ローディング釦、イジェクト釦、再生釦、停止釦、収納釦、取出釦、イクスチェンジ釦等の操作者によって操作される各種の操作釦からの入力に基づいてモード形成用駆動機構８０、搬送用駆動機構８２、ストッカー昇降機構８６等の各機構が動作されたときに行われる管理処理であるが、シーケンス処理の具体的な処理動作については後述する。シーケンス処理が終了すると、＜Ｓ６＞に移行する。
【０１４１】
＜Ｓ５＞
一方、＜Ｓ３＞において初期化処理の終了が検出されなかった場合には、初期化処理が行われる。初期化処理が終了すると、次の＜Ｓ６＞に移行する。
【０１４２】
＜Ｓ６＞
シーケンス処理が終了すると、オペレーション処理が行われる。オペレーション処理とは、モード形成用駆動機構８０、搬送用駆動機構８２、ストッカー昇降機構８６等の各機構の動作によって搬送や昇降が行われるディスク状記録媒体１００やストッカー４等を、各操作釦からの入力に基づく所定の目標位置まで移動させるための処理であり、現在位置と目標位置との位置関係によってモード用モーター４８、駆動モーター５４又は昇降用モーター６６への出力を設定する。オペレーション処理の具体的な処理動作については後述する。オペレーション処理が終了すると、次の＜Ｓ７＞に移行する。
【０１４３】
＜Ｓ７＞
オペレーション処理が終了すると、ファイン処理が行われる。ファイン処理とは、ディスク状記録媒体１００やストッカー４等を目標位置まで追い込むための処理であり、モード用モーター４８、駆動モーター５４又は昇降用モーター６６への出力を設定する。ファイン処理の具体的な処理動作については後述する。ファイン処理が終了すると、＜Ｓ９＞に移行する。
【０１４４】
＜Ｓ８＞
＜Ｓ２＞においてメカエラーが検出された場合には、モード用モーター４８、駆動モーター５４及び昇降用モーター６６がニュートラル状態で停止される。尚、各モーター４８、５４、６６の状態としては、ブレーキがかかった状態で停止されるブレーキ状態、ブレーキがかかっていない状態で停止されるニュートラル状態、高速回転される高速回転状態、減速制御されて回転される減速回転状態の４つの状態がある。また、各モーター４８、５４、６６の回転方向としては、正転方向と反転方向の２方向がある。上記のように、ニュートラル状態で各モーター４８、５４、６６が停止されているため、ブレーキがかかった状態のように発熱が生じることがない。各モーター４８、５４、６６がニュートラル状態となると、次の＜Ｓ９＞に移行する。各モーター４８、５４、６６は、回転駆動信号を受ける前の待機状態においては、発熱防止のためニュートラル状態とされている。
【０１４５】
＜Ｓ９＞
各モーター４８、５４、６６への出力処理を行う。出力処理は、設定した出力を各モーター４８、５４、６６に供給して各モーター４８、５４、６６の駆動を行うための処理であるが、出力処理の具体的な処理動作については後述する。出力処理が行われると、次の入力取得処理を行うために＜Ｓ１＞に移行し、引き続き＜Ｓ２＞以下の各処理が行われる。
【０１４６】
（ｃ）入力取得処理
以下に、上記した制御動作の概要において説明した入力取得処理の具体的な処理動作について説明する（図１３参照）。
【０１４７】
＜Ｓ１―１＞
入力取得処理が開始され、各ＳＷ１〜ＳＷ５ｂ、ディスクセンサー５３及び各ロータリーエンコーダー７８、８４からの入力を入力メモに取得する。入力メモに入力が取得されると、次の＜Ｓ１―２＞に移行する。
【０１４８】
＜Ｓ１―２＞
入力メモには入力が、例えば、４ｍｓｅｃ毎に取得され、先に入力メモに取得された入力値と続いて入力メモに取得された入力値とが一致するか否かがその都度確認される。この確認の結果、続いて取得された入力値が一致した場合には、次の＜Ｓ１―３＞に移行する。取得された入力値が一致しなかった場合には、＜Ｓ１―６＞に移行する。
【０１４９】
＜Ｓ１―３＞
ディスクローディング装置１にあっては、入力の確認において、複数回、例えば、３回とも取得された入力値が一致した場合には、入力が確定する。従って、ここでは、引き続いて行う必要がある入力値の一致の入力確認回数が０になったか否かを検出する。検出の結果、入力確認回数が０であった場合には、次の＜Ｓ１―４＞に移行する。入力確認回数が１以上であった場合には、＜Ｓ１―５＞に移行する。
【０１５０】
＜Ｓ１―４＞
アドレス変更中フラグを下ろし、入力を確定する。入力を確定すると、＜Ｓ１―７＞に移行する。
【０１５１】
＜Ｓ１―５＞
一方、＜Ｓ１―３＞において入力確認回数が１以上であった場合には、先に入力メモに取得された入力値と続いて入力メモに取得された入力値とが一致するか否かの確認を行い、入力確認回数を１つ減らす。入力確認回数を１つ減らすと、＜Ｓ１―７＞に移行する。
【０１５２】
＜Ｓ１―６＞
＜Ｓ１―２＞において、入力値が一致しなかった場合には、入力メモに当該入力値を読み込み、入力確認回数をセットする。入力確認回数は、例えば、「３」にセットする。同時にアドレス変更中フラグを立てる。入力確認回数をセットすると、次の＜Ｓ１―７＞に移行する。
【０１５３】
＜Ｓ１―７＞
アドレス変更中フラグが下りているか否かを検出する。アドレス変更中フラグが下りていれば入力が確定しており、次の＜Ｓ１―８＞に移行する。アドレス変更中フラグが下りていなければ入力が確定しておらず、入力取得処理を終了する。
【０１５４】
＜Ｓ１―８＞
５つの動作モードのうちの何れかの動作モード（前方ローディングモード、昇降モード、後方ローディングモード、チャッキングモード、プレイモード）が設定されているか否か、即ち、動作モードの切替が終了しているか否かを検出する。何れかの動作モードが設定されている場合には、次の＜Ｓ１―９＞に移行する。動作モードが設定されていない場合には、入力取得処理を終了する。
【０１５５】
＜Ｓ１―９＞
前方ローディングモード、後方ローディングモード又はプレイモードであるか否かを検出する。この３つの動作モードにおいてのみ、ディスク状記録媒体１００のアドレスを検出する。前方ローディングモード、後方ローディングモード又はプレイモードであることが検出された場合には、次の＜Ｓ１―１０＞に移行する。前方ローディングモード、後方ローディングモード又はプレイモードであることが検出されなかった場合には、入力取得処理を終了する。
【０１５６】
＜Ｓ１―１０＞
ディスク状記録媒体１００のアドレスを計算する。ディスク状記録媒体１００のアドレスの計算は、取得した入力値に基づいて行われ、例えば、取得した入力値のうちの基準値を定め、この基準値を元にして行う。ディスク状記録媒体１００のアドレスが計算されると、次の＜Ｓ―１１＞に移行する。
【０１５７】
＜Ｓ１―１１＞
動作モードのアドレスを計算する。動作モードのアドレスの計算は、第１のロータリーエンコーダー７８から取得した入力値に基づいて行う。動作モードのアドレスが計算されると、次の＜Ｓ―１２＞に移行する。
【０１５８】
＜Ｓ１―１２＞
ストッカー４のアドレスを計算する。ストッカー４のアドレスの計算は、第２のロータリーエンコーダー８４から取得した入力値に基づいて行う。ストッカー４のアドレスが計算されると、入力取得処理を終了する。
【０１５９】
（ｄ）シーケンス処理
以下に、上記した「（ｂ）制御動作の概要」において説明したシーケンス処理の具体的な処理動作について説明する（図１４参照）。
【０１６０】
＜Ｓ４―１＞
ローディング釦、イジェクト釦、再生釦、停止釦、収納釦、取出釦、イクスチェンジ釦等の操作釦に対する操作者の操作に基づいて指令信号が入力され、シーケンス処理が開始される。指令信号が入力されると、その指令信号に対応する目標（指令）と現在のシーケンス（状態）とが一致するか否かを検出する。目標と現在のシーケンスとが一致した場合には、シーケンス処理を終了し、次に行う必要のあるシーケンス処理を行う。例えば、指令信号がディスク状記録媒体１００に対する再生を行う旨の信号であり、現在ディスク状記録媒体１００に対する再生動作が行われている場合には、シーケンス処理を終了する。目標と現在のシーケンスとが一致しなかった場合には、次の＜Ｓ４―２＞に移行する。
【０１６１】
＜Ｓ４―２＞
現在のシーケンスが目標に到達するために適したシーケンスであるか否かを検出する。現在のシーケンスが目標に到達するために適したシーケンスであった場合には、次の＜Ｓ２―３＞に移行する。現在のシーケンスが目標に到達するために適したシーケンスでなかった場合には、シーケンス処理を終了する。
【０１６２】
＜Ｓ４―３＞
目標に到達するためのオペレーション処理を行う。オペレーション処理の具体的な処理動作については後述する。オペレーション処理が行われると、次の＜Ｓ４―４＞に移行する。
【０１６３】
＜Ｓ４―４＞
オペレーション処理が終了し目標に到達したか否かを検出する。オペレーション処理が終了し目標に到達した場合には、シーケンス処理を終了する。オペレーション処理が終了せず目標に到達していなかった場合には、当該オペレーション処理が終了するまで、オペレーション処理が終了し目標に到達したか否かを繰り返し検出する。
【０１６４】
（ｅ）オペレーション処理
以下に、上記した「（ｂ）制御動作の概要」及び「（ｄ）シーケンス処理」において説明したオペレーション処理の具体的な処理動作について説明する（図１５参照）。
【０１６５】
＜Ｓ６―１＞
オペレーション処理が開始され、目標と現在のアドレス（ディスク状記録媒体１００の搬送位置）とが一致するか否かを検出する。目標と現在のアドレスとが一致した場合には、オペレーション処理を終了する。目標と現在のアドレスがとが一致しなかった場合には、次の＜Ｓ６―２＞に移行する。
【０１６６】
＜Ｓ６―２＞
目標に到達するためのモード用モーター４８、駆動モーター５４、昇降用モーター６６への出力を設定する。出力の設定を行うと、次の＜Ｓ６―３＞に移行する。
【０１６７】
＜Ｓ６―３＞
ディスク状記録媒体１００やストッカー４等を目標位置まで追い込むための動作が必要である場合には、ファイン処理を行う。ファイン処理の具体的な処理動作については後述する。ファイン処理を行う必要がないか、又は、必要なファイン処理を終了すると、＜Ｓ６―１＞に移行する。
【０１６８】
（ｆ）ファイン処理
以下に、上記した「（ｂ）制御動作の概要」及び「（ｅ）オペレーション処理」において説明したファイン処理の具体的な処理動作について説明する（図１６参照）。
【０１６９】
＜Ｓ７―１＞
ファイン処理が開始され、目標と現在のアドレスとが一致するか否かを検出する。目標と現在のアドレスとが一致した場合には、ファイン処理を終了する。目標と現在のアドレスがとが一致しなかった場合には、次の＜Ｓ７―２＞に移行する。
【０１７０】
＜Ｓ７―２＞
目標位置まで追い込むための動作が行われ、モード用モーター４８、駆動モーター５４又は昇降用モーター６６が回転される。目標位置まで追い込むための動作が行われると、次の＜Ｓ７―３＞に移行する。
【０１７１】
＜Ｓ７―３＞
目標と現在のアドレスとが一致するか否かを検出する。目標と現在のアドレスとが一致した場合には、ファイン処理を終了する。目標と現在のアドレスがとが一致しなかった場合には、次の＜Ｓ７―４＞に移行する。
【０１７２】
＜Ｓ７―４＞
モード用モーター４８、駆動モーター５４又は昇降用モーター６６に対する減速制御を行う。減速制御は、例えば、各モーター４８、５４、６６のオン／オフ時間の制御により行い、目標位置に対して行き過ぎてしまった場合には、各モーター４８、５４、６６を逆転させる減速制御を行い、目標位置に未到達である場合には、各モーター４８、５４、６６を引き続き同じ方向へ回転させる減速制御を行う。減速制御を行うと、＜Ｓ７―２＞に移行する。
【０１７３】
（ｇ）モーターへの出力処理
以下に、上記した「（ｂ）制御動作の概要」において説明したモーターへの出力処理の具体的な処理動作について説明する（図１７参照）。
【０１７４】
＜Ｓ９―１＞
モーターへの出力処理が開始され、各モーター４８、５４、６６に対する減速制御を行う必要があるか否かを検出する。減速制御を行う必要があった場合には、次の＜Ｓ９―２＞に移行する。減速制御を行う必要がなかった場合には、＜Ｓ９―３＞に移行する。
【０１７５】
＜Ｓ９―２＞
減速制御を行う。減速制御は、上記したように、各モーター４８、５４、６６のオン／オフ時間の制御により行い、例えば、２０％の減速制御の場合にはオン／オフの比を１：４に設定し、５０％の減速制御の場合にはオン／オフの比を１：１に設定する。減速制御が終了するとモーターへの出力処理を終了する。
【０１７６】
＜Ｓ９―３＞
一方、減速制御を行わない場合には、各モーター４８、５４、６６を高速回転するためのオン又は停止させるためのオフに設定し、これらの各設定に従って各モーター４８、５４、６６の駆動が行われる。オフの設定は、各モーター４８、５４、６６をブレーキがかかった状態で停止させるブレーキ状態の設定と、ブレーキがかかっていない状態で停止させるニュートラル状態の設定の２種類がある。オンの設定は、各モーター４８、５４、６６の回転方向を正転方向とする設定と反転方向とする設定の２種類がある。例えば、駆動モーター５４が反転方向に設定されると、ディスク状記録媒体１００がディスク挿入口２ａからストッカー４へ向かう方向へ搬送され、駆動モーター５４が正転方向に設定されると、ディスク状記録媒体１００がストッカー４からディスク挿入口２ａへ向かう方向へ搬送される。各モーター４８、５４、６６の駆動が終了するとモーターへの出力処理を終了する。
【０１７７】
（ｈ）前方ローディングモードにおける制御動作（再生部への搬送）
次に、前方ローディングモードにおいて、ディスク状記録媒体１００がディスク挿入口２ａから再生部３まで搬送されるときの制御動作について説明する（図１８参照）。
【０１７８】
＜Ａ１＞
制御動作が開始され、駆動モーター５４に、例えば、１００ｍｓｅｃの間、ブレーキをかける。ブレーキをかけると、次の＜Ａ２＞に移行する。
【０１７９】
＜Ａ２＞
ディスク状記録媒体１００の搬送位置によって、以下に示す＜Ａ３＞乃至＜Ａ６＞までの４つの制御動作に区分される。
【０１８０】
＜Ａ３＞
ディスク状記録媒体１００の中心孔がディスクテーブル５２の略真上にある位置、即ち、ディスクテーブル５２への装着が可能な装着位置の付近にディスク状記録媒体１００が位置されている場合に、ファイン処理を行う。ファイン処理を行うと、＜Ａ７＞に移行する。
【０１８１】
＜Ａ４＞
ディスク状記録媒体１００が装着位置よりストッカー４側に位置されている場合に、ファイン処理を行う。ファイン処理を行うと、＜Ａ７＞に移行する。
【０１８２】
＜Ａ５＞
ディスク状記録媒体１００が装着位置よりディスク挿入口２ａ側に位置されている場合に、駆動モーター５４を高速回転（反転方向）させディスク状記録媒体１００を装着位置へ向けて搬送する。駆動モーター５４の高速回転での搬送を行うと、＜Ａ９＞に移行する。
【０１８３】
＜Ａ６＞
ディスク状記録媒体１００がディスク挿入口２ａから挿入されずディスク状記録媒体１００が検出されなかった場合に、＜Ａ８＞に移行する。
【０１８４】
＜Ａ７＞
ディスク状記録媒体１００が装着位置に搬送されてファイン処理が終了したか否かを検出する。ファイン処理が終了した場合には、次の＜Ａ８＞に移行する。ファイン処理が終了しなかった場合には、＜Ａ９＞に移行する。
【０１８５】
＜Ａ８＞
ディスク状記録媒体１００の有無報告を行う。有無報告を行うと制御動作を終了する。
【０１８６】
＜Ａ９＞
設定時間内に処理が行われたか否か、即ち、タイムオーバーにならなかったか否かを検出する。タイムオーバーになった場合には、次の＜Ａ１０＞に移行する。タイムオーバーにならなかった場合には、＜Ａ２＞に移行する。
【０１８７】
＜Ａ１０＞
ディスク挿入口２ａへ向けてのディスク状記録媒体１００の排出指令の要求を行い、当該要求を待つ。
【０１８８】
（ｉ）後方ローディングモードにおける制御動作（ストッカーへの搬送）
次に、後方ローディングモードにおいて、ディスク状記録媒体１００が再生部３からストッカー４まで搬送されるときの制御動作について説明する（図１９参照）。
【０１８９】
＜Ｂ１＞
制御動作が開始され、駆動モーター５４に、例えば、１００ｍｓｅｃの間、ブレーキをかける。ブレーキをかけると、次の＜Ｂ２＞に移行する。
【０１９０】
＜Ｂ２＞
ディスク状記録媒体１００の搬送位置によって、以下に示す＜Ｂ３＞乃至＜Ｂ５＞までの３つの制御動作に区分される。
【０１９１】
＜Ｂ３＞
ディスク状記録媒体１００が検出されなかった場合に、制御動作を終了する。
【０１９２】
＜Ｂ４＞
ディスク状記録媒体１００がストッカー４のディスク収納部４ａに収納される収納位置付近に位置されている場合に、駆動モーター５４の減速制御を行う。減速制御を行うと、＜Ｂ６＞に移行する。
【０１９３】
＜Ｂ５＞
ディスク状記録媒体１００が収納位置付近に位置されていない場合に、駆動モーター５４を高速回転（反転方向）させディスク状記録媒体１００を収納位置へ向けて搬送する。駆動モーター５４の高速回転での搬送を行うと、＜Ｂ７＞に移行する。
【０１９４】
＜Ｂ６＞
ディスク状記録媒体１００が収納位置に搬送されて減速制御が終了したか否かを検出する。減速制御が終了した場合には、制御動作を終了する。減速制御が終了しなかった場合には、＜Ｂ７＞に移行する。
【０１９５】
＜Ｂ７＞
タイムオーバーにならなかったか否かを検出する。タイムオーバーになった場合には、次の＜Ｂ８＞に移行する。タイムオーバーにならなかった場合には、＜Ｂ２＞に移行する。
【０１９６】
＜Ｂ８＞
再度の搬送、即ち、リトライが可能か否かを検出する。リトライが可能な場合には、次の＜Ｂ９＞に移行する。リトライが不可能な場合には、＜Ｂ１０＞に移行する。
【０１９７】
＜Ｂ９＞
リトライを行うためにディスク状記録媒体１００を所定の距離だけ再生部３側に戻す。尚、リトライの可能回数は任意に設定すればよく、ディスクローディング装置１にあっては２回に設定されている。
【０１９８】
＜Ｂ１０＞
メカエラーの状態、例えば、可能なリトライ回数を超えた状態等となり、次の指令を待つ。
【０１９９】
（ｊ）後方ローディングモードにおける制御動作（再生部への搬送）
次に、後方ローディングモードにおいて、ディスク状記録媒体１００がストッカー４から再生部３まで搬送されるときの制御動作について説明する（図２０参照）。
【０２００】
＜Ｃ１＞
制御動作が開始され、駆動モーター５４に、例えば、１００ｍｓｅｃの間、ブレーキをかける。ブレーキをかけると、次の＜Ｃ２＞に移行する。
【０２０１】
＜Ｃ２＞
ディスク状記録媒体１００の搬送位置によって、以下に示す＜Ｃ３＞乃至＜Ｃ６＞までの４つの制御動作に区分される。
【０２０２】
＜Ｃ３＞
ディスク状記録媒体１００が検出されなかった場合に、＜Ｃ８＞に移行する。
【０２０３】
＜Ｃ４＞
装着位置付近にディスク状記録媒体１００が位置されている場合に、ファイン処理を行う。ファイン処理を行うと、＜Ｃ７＞に移行する。
【０２０４】
＜Ｃ５＞
ディスク状記録媒体１００が装着位置よりディスク挿入口２ａ側に位置されている場合に、ファイン処理を行う。ファイン処理を行うと、＜Ｃ７＞に移行する。
【０２０５】
＜Ｃ６＞
ディスク状記録媒体１００が装着位置よりストッカー４側に位置されている場合に、駆動モーター５４を高速回転（正転方向）させディスク状記録媒体１００を装着位置へ向けて搬送する。駆動モーター５４の高速回転での搬送を行うと、＜Ｃ９＞に移行する。
【０２０６】
＜Ｃ７＞
ディスク状記録媒体１００が装着位置に搬送されてファイン処理が終了したか否かを検出する。ファイン処理が終了した場合には、次の＜Ｃ８＞に移行する。ファイン処理が終了しなかった場合には、＜Ｃ９＞に移行する。
【０２０７】
＜Ｃ８＞
ディスク状記録媒体１００の有無報告を行う。有無報告を行うと制御動作を終了する。
【０２０８】
＜Ｃ９＞
タイムオーバーにならなかったか否かを検出する。タイムオーバーになった場合には、次の＜Ｃ１０＞に移行する。タイムオーバーにならなかった場合には、＜Ｃ２＞に移行する。
【０２０９】
＜Ｃ１０＞
リトライが可能か否かを検出する。リトライが可能な場合には、次の＜Ｃ１１＞に移行する。リトライが不可能な場合には、＜Ｃ１２＞に移行する。
【０２１０】
＜Ｃ１１＞
リトライを行うためにディスク状記録媒体１００を所定の距離だけストッカー４側に戻す。尚、リトライの可能回数は任意に設定すればよく、ディスクローディング装置１にあっては２回に設定されている。
【０２１１】
＜Ｃ１２＞
メカエラーの状態となり、次の指令を待つ。
【０２１２】
（ｋ）前方ローディングモードにおける制御動作（ディスク挿入口への搬送）次に、前方ローディングモードにおいて、ディスク状記録媒体１００が再生部３からディスク挿入口２ａまで搬送されるときの制御動作について説明する（図２１参照）。
【０２１３】
＜Ｄ１＞
制御動作が開始され、駆動モーター５４に、例えば、１００ｍｓｅｃの間、ブレーキをかける。ブレーキをかけると、次の＜Ｄ２＞に移行する。
【０２１４】
＜Ｄ２＞
ディスク状記録媒体１００の有無によって、以下に示す＜Ｄ３＞又は＜Ｄ４＞の２つの制御動作に区分される。
【０２１５】
＜Ｄ３＞
ディスク状記録媒体１００が検出されなかった場合に、制御動作を終了する。
【０２１６】
＜Ｄ４＞
ディスク状記録媒体１００が検出された場合に、駆動モーター５４を高速回転（正転方向）させディスク状記録媒体１００をディスク挿入口２ａへ向けて搬送する。駆動モーター５４の高速回転での搬送を行うと、＜Ｄ５＞に移行する。
【０２１７】
＜Ｄ５＞
タイムオーバーにならなかったか否かを検出する。タイムオーバーになった場合には、次の＜Ｄ６＞に移行する。タイムオーバーにならなかった場合には、＜Ｄ２＞に移行する。
【０２１８】
＜Ｄ６＞
再生部３へ向けてのディスク状記録媒体１００の引込指令の要求を行い、当該要求を待つ。
【０２１９】
（４）ディスクローディング装置の動作
以下に、ディスクローディング装置１の動作について説明する（図２２乃至図４８参照）。
【０２２０】
ディスクローディング装置１にあっては、送りローラー９、９、・・・と送り体１０、１０、・・・とによって挟持された状態でディスク状記録媒体１００が搬送される。
【０２２１】
図２２乃至図４２は各スライド手段２０、２５、３０、３７、４２の各検出スイッチ６９乃至７５に対する操作状態を示す平面図であり、図４３は大径のディスク状記録媒体１００ａの搬送位置（アドレス）を検出する際のディスクセンサー５３及び検出スイッチ６９乃至７５の状態を示す図表であり、図４４は図４３をタイムチャートとして示した図であり、図４５は大径のディスク状記録媒体１００ａのサイズを検出する際のディスクセンサー５３及び検出スイッチ６９乃至７５の状態を示した図表である。図４３乃至図４５における「ＡＤ」は大径のディスク状記録媒体１００ａの各アドレスを示している。
【０２２２】
また、図４６は小径のディスク状記録媒体１００ｂの搬送位置（アドレス）を検出する際のディスクセンサー５３及び検出スイッチ６９乃至７５の状態を示す図表であり、図４７は図４６をタイムチャートとして示した図であり、図４８は小径のディスク状記録媒体１００ｂのサイズを検出する際のディスクセンサー５３及び検出スイッチ６９乃至７５の状態を示した図表である。図４６乃至図４８における「ａｄ」は小径のディスク状記録媒体１００ｂの各アドレスを示している。
【０２２３】
図４３、図４５、図４６及び図４８中、各欄の「○」は検出スイッチが「Ｈｉｇｈ」の状態を示し、「●」は検出スイッチがアドレス検出のキーとなる「Ｈｉｇｈ」の状態を示し、「×」は検出スイッチがアドレス検出のキーとなる「Ｌｏｗ」の状態を示し、「空欄」は検出スイッチが「Ｌｏｗ」の状態を示し、「△」は検出スイッチが「Ｈｉｇｈ」又は「Ｌｏｗ」の何れかの状態を示している。尚、大径のディスク状記録媒体１００ａ、１００ａ、・・・間又は小径のディスク状記録媒体１００ｂ、１００ｂ、・・・間においても若干の外径の違いがあることが知られており、これらの若干の外径の違いがあるディスク状記録媒体を搬送するときに、当該ディスク状記録媒体の外径の大きさによって検出スイッチが「Ｈｉｇｈ」又は「Ｌｏｗ」の何れかの状態となるため、このような場合を「△」として示している。
【０２２４】
（ａ）前方ローディングモード
先ず、ディスク挿入口２ａからディスク状記録媒体１００が挿入されたときに、ディスク状記録媒体１００がディスク挿入口２ａと再生部３との間を搬送されるときの前方ローディングモードについて説明する。ディスク状記録媒体１００がディスク挿入口２ａから挿入される前の前方ローディングモードにおける各部の状態は以下の通りである（図２２参照）。
【０２２５】
支持シャーシ１２に支持された第１のスライド手段２０は、バネ部材２３のバネ力によって駆動側スライダー２１の規制突部２１ｂに従動側スライダー２２の規制部２２ｆが当接されており、駆動側スライダー２１と従動側スライダー２２とが互いに接近する方向における移動端に位置されている。従って、駆動側スライダー２１に支持された第１の送りローラー９ａと従動側スライダー２２に取り付けられた第１の送り体１０ａとは、互いに接近する方向における移動端に保持されている。
【０２２６】
第２のスライド手段２５は、バネ部材２８のバネ力によって駆動側スライダー２６の規制突部２６ｃに従動側スライダー２７の規制部２７ｇが当接されると共に従動側スライダー２７の規制突部２７ｂに駆動側スライダー２６の規制部２６ｇが当接されており、駆動側スライダー２６と従動側スライダー２７とが互いに接近する方向における移動端に位置されている。従って、駆動側スライダー２６に支持された第２の送りローラー９ｃ及び第３の送りローラー９ｅと従動側スライダー２７に取り付けられた第２の送り体１０ｃ及び第３の送り体１０ｅとは、互いに接近する方向における移動端に保持されている。このとき、従動側スライダー２７の被押圧突部２７ｃの左方に第１のスライド手段２０の従動側スライダー２２の押圧突部２２ｂが所定の間隔をおいて位置されている。
【０２２７】
第３のスライド手段３０は、バネ部材３４のバネ力によって第１のスライダー３１の規制突部３１ｂに第２のスライダー３２の規制部３２ｇが当接されており、第１のスライダー３１と第２のスライダー３２とが互いに接近する方向における移動端に位置されている。従って、第１のスライダー３１に支持された第１の規制コロ３３と第２のスライダー３２に支持された第２の規制コロ３５とは、互いに接近する方向における移動端に保持されている。
【０２２８】
第４のスライド手段３７は、バネ部材４０のバネ力によって駆動側スライダー３８の規制突部３８ｂに従動側スライダー３９の規制部３９ｇが当接されており、駆動側スライダー３８と従動側スライダー３９とが互いに接近する方向における移動端に位置されている。従って、駆動側スライダー３８に支持された第４の送りローラー９ｇと従動側スライダー３９に取り付けられた第４の送り体１０ｇとは、互いに接近する方向における移動端に保持されている。このとき、従動側スライダー３９の押圧突部３９ｃが第３のスライド手段３０の第２のスライダー３２の被押圧突部３２ｃに左方から当接されている。
【０２２９】
第５のスライド手段４２は、第６の送りローラー９ｋを支持する支持軸６５が図示しない規制部によって右方への移動が規制されているため、駆動側スライダー４３と従動側スライダー４４とが互いに離間する方向における移動端に位置されている。従って、駆動側スライダー４３に支持された第５の送りローラー９ｉ及び第６の送りローラー９ｋと従動側スライダー４４に取り付けられた第５の送り体１０ｉ及び第６の送り体１０ｋとは、互いに離間する方向における移動端に保持されている。
【０２３０】
ベースユニット４９は、ディスクテーブル５２が下方側の移動端に位置した状態でベースシャーシ１５に対して傾斜されている。
【０２３１】
ディスクセンサー５３は、ディスク状記録媒体１００ａ及びディスク状記録媒体１００ｂの何れもがディスク挿入口２ａから挿入されていないため、ＯＦＦ状態とされている（図４３乃至図４５のＡＤ１、図４６乃至図４８のａｄ１参照）。ディスクセンサー５３がＯＦＦ状態とされることにより、ディスク状記録媒体１００ａ及びディスク状記録媒体１００ｂの何れもがディスク挿入口２ａから挿入されていない旨が検出される。
【０２３２】
各検出スイッチ６９乃至７５は、各スライド手段２０、２５、３０、３７、４２の何れにも操作されていないため、何れもＬｏｗ状態とされている（図４３乃至図４５のＡＤ１、図４６乃至図４８のａｄ１参照）。
【０２３３】
（ｂ）ディスク挿入口と再生部との間の搬送動作（大径のディスク状記録媒体）
次に、ディスク状記録媒体１００ａがディスク挿入口２ａと再生部３との間を搬送されるときの動作について説明する（図２２乃至図３１、図４３乃至図４５参照）。
【０２３４】
ディスク状記録媒体１００ａがディスク挿入口２ａから挿入される前の前方ローディングモードにおける各部の状態は上記した通りであり（図２２参照）、この状態においてディスク状記録媒体１００ａがディスク挿入口２ａから挿入されると、ディスク状記録媒体１００ａの外周部がディスクセンサー５３の上側に位置される（図２３参照）。従って、ディスクセンサー５３はＯＮ状態とされディスク状記録媒体１００ａがディスク挿入口２ａから挿入された旨が検出される（図４３乃至図４５のＡＤ２参照）。
【０２３５】
尚、後述するＡＤ３以降のアドレスにおいてもディスクセンサー５３がＯＮ状態となる場合があるが、ＡＤ３以降のアドレスにおいてはディスクセンサー５３の状態はアドレス検出には利用されない。
【０２３６】
ディスクセンサー５３がＯＮ状態とされると、駆動モーター５４が反転方向へ回転され、上記したように、各送りローラー９ａ、９ｃ、９ｅ、９ｇ、９ｉ、９ｋが平面で見て反時計回り方向へ回転される。
【０２３７】
ディスク状記録媒体１００ａがディスク挿入口２ａから挿入されて当該ディスク状記録媒体１００ａの外周面が送りローラー９ａと送り体１０ａとに押し付けられると、送りローラー９ａの回転によってディスク状記録媒体１００ａが筐体２の内部に引き込まれていく（図２４参照）。ディスク状記録媒体１００ａが引き込まれていくときには、送りローラー９ａがディスク状記録媒体１００ａの外周面上を転動される。
【０２３８】
ディスク状記録媒体１００ａが引き込まれていくと、送りローラー９ａと送り体１０ａとの間の距離がディスク状記録媒体１００ａの引き込まれた位置に応じて時々刻々と変化され、第１のスライド手段２０の駆動側スライダー２１と従動側スライダー２２とがバネ部材２３のバネ力に抗して互いに離間する方向へ支持シャーシ１２に対してスライドされる（図２４参照）。
【０２３９】
駆動側スライダー２１と従動側スライダー２２とが互いに離間する方向へスライドされると、駆動側スライダー２１によってＳＷ１が操作されてＨｉｇｈ状態とされる（図２４、図４３乃至図４５のＡＤ３参照）。
【０２４０】
尚、上記のように、ディスクセンサー５３がＯＮ状態とされると、駆動モーター５４が反転方向へ回転されてディスク状記録媒体１００ａが筐体２内へ引き込まれるようにされているが、例えば、ディスク状記録媒体１００ａの一部又は全部が透明又は半透明であるときには当該ディスク状記録媒体１００ａを挿入した状態においてもディスクセンサー５３がＯＮ状態とされず駆動モーター５４の回転が開始されないおそれがある。
【０２４１】
ディスクローディング装置１においては、このような不具合の発生のおそれを防止するために、ディスク状記録媒体１００ａが筐体２内に挿入され第１の送りローラー９ａと第１の送り体１０ａがディスク状記録媒体１００ａによって後方へ押圧されて第１のスライド手段２０の駆動側スライダー２１と従動側スライダー２２とが互いに離間する方向へスライドされＳＷ１がＯＮ状態とされたときにも、駆動モーター５４の回転が開始されるようにしている。
【０２４２】
ディスク状記録媒体１００ａが引き込まれ、駆動側スライダー２１と従動側スライダー２２とがバネ部材２３のバネ力に抗して互いに離間する方向へさらにスライドされると、従動側スライダー２２の押圧突部２２ｂによって第２のスライド手段２５の従動側スライダー２７の被押圧突部２７ｃが右方へ押圧され、駆動側スライダー２１と従動側スライダー２２のスライドに伴って駆動側スライダー２６と従動側スライダー２７とが互いに離間する方向へスライドされる（図２５参照）。
【０２４３】
このように駆動側スライダー２６と従動側スライダー２７とが互いに離間する方向へスライドされることにより、駆動側スライダー２６によってＳＷ２ａが操作されてＨｉｇｈ状態とされる（図２５、図４３乃至図４５のＡＤ４参照）。このときＳＷ１もＨｉｇｈ状態とされている。
【０２４４】
ディスク状記録媒体１００ａがさらに引き込まれると、駆動側スライダー２６と従動側スライダー２７とはバネ部材２８のバネ力に抗して互いに離間する方向へさらにスライドされていき、逆に、駆動側スライダー２１と従動側スライダー２２とはバネ部材２３のバネ力によって互いに接する方向へスライドされていく（図２６参照）。このとき、ディスク状記録媒体１００ａは、第１の送りローラー９ａ、第１の送り体１０ａから第２の送りローラー９ｃ、第２の送り体１０ｃに受け渡される。ディスク状記録媒体１００ａが受け渡されるときには、該ディスク状記録媒体１００ａの外周面に第１の送りローラー９ａ、第２の送りローラー９ｃ、第１の送り体１０ａ及び第２の送り体１０ｃが接した状態とされる。
【０２４５】
駆動側スライダー２６と従動側スライダー２７とが互いに離間する方向へスライドされることにより、駆動側スライダー２６によってＳＷ２ｂが操作されてＨｉｇｈ状態とされる（図２６、図４３乃至図４５のＡＤ５参照）。このときＳＷ１及びＳＷ２ａもＨｉｇｈ状態とされている。
【０２４６】
さらにディスク状記録媒体１００ａが引き込まれていくと、ディスク状記録媒体１００ａの外周面が第３のスライド手段３０の第１のスライダー３１と第２のスライダー３２とにそれぞれ支持された第１の規制コロ３３と第２の規制コロ３５とを後方へ押圧し、第１のスライダー３１と第２のスライダー３２とが互いに離間する方向へスライドされていき、ディスク状記録媒体１００ａが第２の送りローラー９ｃ、第２の送り体１０ｃから第３の送りローラー９ｅ、第３の送り体１０ｅに受け渡される（図２７参照）。ディスク状記録媒体１００ａが受け渡されるときには、該ディスク状記録媒体１００ａの外周面に第１の送りローラー９ａ、第３の送りローラー９ｅ、第１の規制コロ３３、第１の送り体１０ａ、第３の送り体１０ｅ及び第２の規制コロ３５が接した状態とされる。第１の規制コロ３３及び第２の規制コロ３５は、ディスク状記録媒体１００ａの外周面に接しても該ディスク状記録媒体１００ａの外周面に対して空転されるため、ディスク状記録媒体１００ａを搬送する手段としては機能しない。
【０２４７】
第１のスライダー３１と第２のスライダー３２とが互いに離間する方向へスライドされることにより、第１のスライダー３１によってＳＷ３が操作されてＨｉｇｈ状態とされる（図２７、図４３乃至図４５のＡＤ６参照）。このときＳＷ１、ＳＷ２ａ及びＳＷ２ｂもＨｉｇｈ状態とされている。
【０２４８】
ＳＷ２ｂがＨｉｇｈ状態とされているときにＳＷ３がＨｉｇｈ状態とされることにより、挿入されたディスク状記録媒体１００が大径のディスク状記録媒体１００ａであることが検出される（図４５のＡＤ６参照）。従って、ＡＤ１乃至ＡＤ５においては、挿入されたディスク状記録媒体１００がディスク状記録媒体１００ａ又はディスク状記録媒体１００ｂであるかが検出されておらず、大径のディスク状記録媒体１００ａか小径のディスク状記録媒体１００ｂであるかが不明の状態とされている。
【０２４９】
上記のように、挿入されたディスク状記録媒体１００が大径のディスク状記録媒体１００ａであることが検出されるとディスク状記録媒体１００のサイズが確定し、以後、サイズの書き換えが行われることはない。従って、以後のディスク状記録媒体１００ａについての動作において、誤ってディスク状記録媒体１００ｂに対しての動作が行われることがない。
【０２５０】
尚、ディスク状記録媒体１００のサイズは、再生されるディスク状記録媒体１００、１００、・・・が交換された場合及びディスク状記録媒体１００が筐体２から取り出された場合にリセットされる。
【０２５１】
ディスク状記録媒体１００ａが第３の送りローラー９ｅ及び第３の送り体１０ｅに受け渡されてさらに引き込まれていくと、ディスク状記録媒体１００ａの外周面が第４の送りローラー９ｇ及び第４の送り体１０ｇに接する（図２８参照）。このとき第１のスライド手段２０の駆動側スライダー２１と従動側スライダー２２とはバネ部材２３のバネ力によって互いに接する方向へスライドされていく。ディスク状記録媒体１００ａの外周面から第１の送りローラー９ａ及び第１の送り体１０ａが離間され、ディスク状記録媒体１００ａの外周面に第３の送りローラー９ｅ、第４の送りローラー９ｇ、第１の規制コロ３３、第３の送り体１０ｅ、第４の送り体１０ｇ及び第２の規制コロ３５が接した状態とされる。ディスク状記録媒体１００ａはその中心孔がディスクテーブル５２の略真上に位置され、ディスクテーブル５２への装着が可能な装着位置に達する（図２８参照）。
【０２５２】
駆動側スライダー２１と従動側スライダー２２とが互いに接する方向へスライドされることにより、駆動側スライダー２１によるＳＷ１に対する操作が解除されてＬｏｗ状態とされる（図２８、図４３及び図４４のＡＤ７参照）。このときＳＷ２ａ、ＳＷ２ｂ及びＳＷ３はＨｉｇｈ状態とされている。
【０２５３】
ディスク状記録媒体１００ａは装着位置を越えて引き続きストッカー４側へ引き込まれていき、第４のスライド手段３７の駆動側スライダー３８と従動側スライダー３９とがバネ部材４０のバネ力に抗して互いに離間する方向へスライドされる（図２９参照）。
【０２５４】
駆動側スライダー３８と従動側スライダー３９とが互いに離間する方向へスライドされることにより、駆動側スライダー３８によってＳＷ４が操作されてＨｉｇｈ状態とされる（図２９、図４３及び図４４のＡＤ８参照）。このときＳＷ２ａ、ＳＷ２ｂ及びＳＷ３もＨｉｇｈ状態とされている。
【０２５５】
さらにディスク状記録媒体１００ａは引き込まれ、第４のスライド手段３７の駆動側スライダー３８と従動側スライダー３９とがバネ部材４０のバネ力に抗して互いに離間する方向へスライドされ、逆に、第２のスライド手段２５の駆動側スライダー２６と従動側スライダー２７とがバネ部材２８のバネ力によって互いに接する方向へスライドされていく（図３０参照）。
【０２５６】
駆動側スライダー２６と従動側スライダー２７とが互いに接する方向へスライドされることにより、駆動側スライダー２６のＳＷ２ｂに対する操作が解除されてＬｏｗ状態とされる（図３０、図４３及び図４４のＡＤ９参照）。このときＳＷ２ａ、ＳＷ３及びＳＷ４はＨｉｇｈ状態とされている。
【０２５７】
ＡＤ９は減速制御が開始されるターゲットとされ、ＳＷ４がＨｉｇｈ状態とされているときにＳＷ２ｂがＬｏｗ状態とされることにより、駆動モーター５４が逆転されて正転方向へ回転され該駆動モーター５４に対する減速制御が開始される。従って、各送りローラー９ａ、９ｃ、９ｅ、９ｇ、９ｉ、９ｋが平面で見て時計回り方向へ回転される。
【０２５８】
駆動モーター５４が逆転されて正転方向へ回転されると、ディスク状記録媒体１００ａがＡＤ９からＡＤ８を経てＡＤ７（装着位置）へ向けて搬送される。駆動モーター５４が正転方向へ回転されてディスク状記録媒体１００ａが搬送されると、ＳＷ２ａ、ＳＷ２ｂ、ＳＷ３及びＳＷ４が何れもＨｉｇｈ状態となり（図４３及び図４４のＡＤ８参照）、続いてＳＷ２ａ、ＳＷ２ｂ、ＳＷ３が何れもＨｉｇｈ状態であり、かつ、ＳＷ４がＬｏｗ状態となる（図４３及び図４４のＡＤ７参照）。
【０２５９】
ＳＷ２ｂがＨｉｇｈ状態とされているときにＳＷ４がＬｏｗ状態とされることにより、駆動モーター５４の回転が停止されディスク状記録媒体１００ａが装着位置に搬送される（図２８参照）。従って、ディスク状記録媒体１００ａはチャッキングプーリー４７とディスクテーブル５２とによるチャッキングが可能な状態とされる。
【０２６０】
尚、上記には、駆動モーター５４を逆転させてＳＷ２ｂがＨｉｇｈ状態とされているときにＳＷ４がＬｏｗ状態とされることにより、駆動モーター５４の回転を停止してディスク状記録媒体１００ａを装着位置に搬送するようにしているが、駆動モーター５４を逆転させずにＡＤ６からＡＤ７に移行しＳＷ１ａがＨｉｇｈ状態からＬｏｗ状態になったときに、駆動モーター５４の回転を停止してディスク状記録媒体１００ａを装着位置に搬送するようにしてもよい。
【０２６１】
ディスク状記録媒体１００ａが装着位置に搬送された状態においては、ディスク状記録媒体１００ａは、その外周面に第３の送りローラー９ｅ、第４の送りローラー９ｇ、第１の規制コロ３３、第３の送り体１０ｅ、第４の送り体１０ｇ及び第２の規制コロ３５が接している（図２８参照）。
【０２６２】
駆動モーター５４の回転が停止されると、次いで、モード用モーター４８が回転され、モード形成用駆動機構８０の駆動によってチャッキングモードが設定され、ディスク状記録媒体１００ａがチャッキングプーリー４７とディスクテーブル５２とによって上下方向から挟持されてチャッキングされる。
【０２６３】
モード用モーター４８は引き続き回転され、モード形成用駆動機構８０の駆動によって駆動側スライダー２６と従動側スライダー２７、第１のスライダー３１と第２のスライダー３２、駆動側スライダー３８と従動側スライダー３９がそれぞれ互いに離間する方向へスライドされ、第３の送りローラー９ｅ、第４の送りローラー９ｇ、第１の規制コロ３３、第３の送り体１０ｅ、第４の送り体１０ｇ及び第２の規制コロ３５がディスク状記録媒体１００ａの外周面から離間される（図３１参照）。
【０２６４】
駆動側スライダー３８と従動側スライダー３９とが互いに離間する方向へスライドされることにより、駆動側スライダー３８によってＳＷ４が操作されてＨｉｇｈ状態とされる（図３１、図４３及び図４４のＡＤ１０参照）。このときＳＷ２ａ、ＳＷ２ｂ及びＳＷ３もＨｉｇｈ状態とされている。
【０２６５】
上記のように、第３の送りローラー９ｅ、第４の送りローラー９ｇ、第１の規制コロ３３、第３の送り体１０ｅ、第４の送り体１０ｇ及び第２の規制コロ３５がディスク状記録媒体１００ａの外周面から離間されることにより、プレイモードが設定されモード用モーター４８の回転が停止される。
【０２６６】
プレイモードが設定されると、ディスクテーブル５２がスピンドルモーターの回転に伴って回転されると共に光ピックアップ５１が動作され、チャッキングされたディスク状記録媒体１００ａに対する再生動作が行われる。再生動作時には、光ピックアップ５１の図示しない発光素子から出射されたレーザー光が対物レンズ５１ａを介してディスク状記録媒体１００ａに照射され、その戻り光が対物レンズ５１ａを介して光ピックアップ５１の図示しない受光素子に入射され、ディスク状記録媒体１００ａに記録された情報信号が再生される。
【０２６７】
上記したディスク状記録媒体１００ａに対する情報信号の再生動作が終了すると、モード用モーター４８が上記とは反対方向へ回転されてディスク状記録媒体１００ａのチャッキングプーリー４７とディスクテーブル５２とによるチャッキングが解除され、チャッキングモードを経て再び前方ローディングモードが設定される（図２８、図４３及び図４４のＡＤ７参照）。前方ローディングモードが設定されると、モード用モーター４８の回転が停止される。
【０２６８】
前方ローディングモードが設定されると、駆動モーター５４が正転方向へ回転され、ディスク状記録媒体１００ａがディスク挿入口２ａへ向けて搬送されていく。ディスク状記録媒体１００ａがディスク挿入口２ａへ向けて搬送されていくと、ディスク状記録媒体１００ａはＡＤ７からＡＤ６、ＡＤ５、ＡＤ４、ＡＤ３を経てＡＤ２に至る。
【０２６９】
ディスク状記録媒体１００ａがＡＤ２に至ったときにはディスクセンサー５３がＯＮ状態とされている（図４３乃至図４５のＡＤ２参照）。ディスクセンサー５３の状態は、上記したように、ＡＤ１及びＡＤ２においてのみアドレス検出に利用され、ＡＤ３以降のアドレスにおいてはアドレス検出には利用されないため、ディスクセンサー５３がＯＮ状態とされることによりＡＤ２のアドレスが検出される。
【０２７０】
ＡＤ２のアドレスが検出されると駆動モーター５４の回転が停止される。このときディスク状記録媒体１００ａは、その大部分がディスク挿入口２ａから前方へ突出されており、突出されたディスク状記録媒体１００ａを把持して引き抜くことにより、ディスク状記録媒体１００ａを筐体２から取り出すことができる。
【０２７１】
（ｃ）再生部とストッカーとの間の搬送動作（大径のディスク状記録媒体）
次に、ディスク状記録媒体１００ａが再生部３とストッカー４との間を搬送されるときの動作について説明する（図３２乃至図３６、図４３、図４４参照）。
【０２７２】
ディスク状記録媒体１００ａの再生部３とストッカー４との間の搬送は、モード用モーター４８の回転によるモード形成用駆動機構８０の駆動によって設定される後方ローディングモードにおいて行われる。
【０２７３】
ディスク状記録媒体１００ａに対する情報信号の再生動作が終了すると、上記したように、モード用モーター４８が回転されてディスク状記録媒体１００ａのチャッキングが解除され、チャッキングモードを経て後方ローディングモードが設定される（図３２参照）。
【０２７４】
ディスク状記録媒体１００ａが装着位置にあるときの後方ローディングモードにおける各部の状態は、上記したディスク状記録媒体１００ａがディスク挿入口２ａから挿入される前の前方ローディングモードにおける各部の状態と比較して、第６の送りローラー９ｋを支持する支持軸６５に対する規制部による規制が解除されて第５のスライド手段４２の駆動側スライダー４３と従動側スライダー４４とが互いに接する方向における移動端に位置されていることのみが相違する（図３２参照）。
【０２７５】
駆動側スライダー４３と従動側スライダー４４とが互いに接する方向における移動端に位置されているため、ＳＷ５ａとＳＷ５ｂとは、それぞれ駆動側スライダー４３の第１のスイッチング突部４３ｇと第２のスイッチング突部４３ｈとによって操作されてＨｉｇｈ状態とされている（図３２、図４３及び図４４のＡＤ１１参照）。このときＳＷ２ａ、ＳＷ２ｂは第２のスライド手段２５の駆動側スライダー２６に操作されてＨｉｇｈ状態とされており、ＳＷ３は第３のスライド手段３０の第１のスライダー３１に操作されてＨｉｇｈ状態とされている。ＳＷ１及びＳＷ４はＬｏｗ状態とされている。
【０２７６】
駆動モーター５４が反転方向へ回転されると、装着位置にあるディスク状記録媒体１００ａがストッカー４へ向けて搬送されていく。
【０２７７】
ディスク状記録媒体１００ａがストッカー４へ向けて搬送されると、第４のスライド手段３７の駆動側スライダー３８と従動側スライダー３９とがバネ部材４０のバネ力に抗して互いに離間する方向へスライドされる（図３３参照）。
【０２７８】
駆動側スライダー３８と従動側スライダー３９とが互いに離間する方向へスライドされることにより、駆動側スライダー３８によってＳＷ４が操作されてＨｉｇｈ状態とされる（図３３、図４３及び図４４のＡＤ１２参照）。このときＳＷ２ａ、ＳＷ２ｂ、ＳＷ３、ＳＷ５ａ及びＳＷ５ｂもＨｉｇｈ状態とされている。
【０２７９】
ディスク状記録媒体１００ａはさらにストッカー４へ向けて搬送され、第２のスライド手段２５の駆動側スライダー２６と従動側スライダー２７、第３のスライド手段３０の第１のスライダー３１と第２のスライダー３２、第４のスライド手段３７駆動側スライダー３８と従動側スライダー３９がそれぞれ互いに接する方向へスライドされる（図３４参照）。
【０２８０】
駆動側スライダー２６と従動側スライダー２７とが互いに接する方向へスライドされることにより、駆動側スライダー２６によるＳＷ２ａ及びＳＷ２ｂに対する操作が解除されてＬｏｗ状態とされ、第１のスライダー３１と第２のスライダー３２とが互いに接する方向へスライドされることにより、第１のスライダー３１によるＳＷ３に対する操作が解除されてＬｏｗ状態とされ、駆動側スライダー３８と従動側スライダー３９とが互いに接する方向へスライドされることにより、駆動側スライダー３８によるＳＷ４に対する操作が解除されてＬｏｗ状態とされる（図３４、図４３及び図４４のＡＤ１３参照）。
【０２８１】
尚、ディスク状記録媒体１００ａがＡＤ１２からＡＤ１３まで搬送される間において、ＳＷ２ａ、ＳＷ２ｂ、ＳＷ３、ＳＷ４、ＳＷ５ａ、ＳＷ５ｂに対する操作状態が変化されＨｉｇｈ状態又はＬｏｗ状態とされるが、その状態は図４４に示す通りであり詳細な説明は省略する。
【０２８２】
第５のスライド手段４２の駆動側スライダー４３と従動側スライダー４４とは、互いに離間する方向へスライドされる（図３４参照）。駆動側スライダー４３と従動側スライダー４４とが互いに離間する方向へスライドされると、駆動側スライダー４３によってＳＷ５ｂが操作されてＨｉｇｈ状態とされる（図３４、図４３及び図４４のＡＤ１３参照）。このときＳＷ５ａはＨｉｇｈ状態又はＬｏｗ状態とされている。
【０２８３】
ディスク状記録媒体１００ａがさらにストッカー４へ向けて搬送されると、第５のスライド手段４２の駆動側スライダー４３と従動側スライダー４４とがさらに互いに離間する方向へスライドされる（図３５参照）。
【０２８４】
駆動側スライダー４３と従動側スライダー４４とが互いに離間する方向へスライドされることにより、駆動側スライダー４３によるＳＷ５ｂに対する操作が解除されてＬｏｗ状態とされる（図３５、図４３及び図４４のＡＤ１４参照）。このときＳＷ５ａは駆動側スライダー４３によって操作されておらずＬｏｗ状態とされている。
【０２８５】
ディスク状記録媒体１００ａがさらにストッカー４へ向けて搬送されることにより、ディスク状記録媒体１００ａがストッカー４のディスク収納部４ａに収納される（図３６参照）。ディスク状記録媒体１００ａがディスク収納部４ａに収納されるときには、第５のスライド手段４２の駆動側スライダー４３と従動側スライダー４４とがバネ部材４５のバネ力によって互いに接する方向へスライドされる。
【０２８６】
駆動側スライダー４３と従動側スライダー４４とが互いに接する方向へスライドされることにより、駆動側スライダー４３によってＳＷ５ｂが操作されてＨｉｇｈ状態とされる（図３６、図４３及び図４４のＡＤ１５参照）。
【０２８７】
上記のように、ＡＤ１３からＡＤ１５に至るまでには、ＡＤ１３においてＳＷ４がＬｏｗ状態とされると共にＳＷ５ｂがＨｉｇｈ状態とされ、ＡＤ１４においてＳＷ５ｂがＬｏｗ状態とされ、ＡＤ１５においてＳＷ５ｂがＨｉｇｈ状態とされる（図４３及び図４４参照）。ディスクローディング装置１にあっては、このようなＡＤ１３におけるＳＷ４とＳＷ５ｂの状態及びＡＤ１４、ＡＤ１５のＳＷ５ｂの状態を連続的に検出することにより、ディスク状記録媒体１００ａの最終アドレス（ＡＤ１５）を検出し駆動モーター５４の回転を停止するようにしている。
【０２８８】
ディスクローディング装置１にあっては、ＡＤ１３の直前のアドレスにおいて、ＳＷ４、ＳＷ５ａ及びＳＷ５ｂが何れもＨｉｇｈ状態又はＬｏｗ状態の何れの状態とされるかが明らかでない（図４３及び図４４参照）。従って、このＡＤ１３の直前のアドレスにおいては、ＳＷ４、ＳＷ５ａ及びＳＷ５ｂの各状態が何れもＡＤ１５のＳＷ４、ＳＷ５ａ及びＳＷ５ｂの各状態と同じとなってしまう可能性があり、このＳＷ４、ＳＷ５ａ及びＳＷ５ｂの各状態を検出することにより駆動モーター５４の回転を停止しようとするとＡＤ１３の直前のアドレスにおいて駆動モーター５４の回転が停止されてしまうおそれがある。
【０２８９】
そこで、ディスクローディング装置１にあっては、上記のようにＡＤ１３におけるＳＷ４とＳＷ５ｂの状態及びＡＤ１４、ＡＤ１５のＳＷ５ｂの状態を連続的に検出することにより、ディスク状記録媒体１００ａの最終アドレスを検出し駆動モーター５４の回転を停止するようにしている。従って、ＡＤ１３からＡＤ１５までのＳＷ４及びＳＷ５ｂの状態を連続的に検出することにより、駆動モーター５４の回転をディスク状記録媒体１００ａの最終アドレスにおいて確実に停止させることができる。
【０２９０】
ディスク状記録媒体１００ａがストッカー４のディスク収納部４ａに収納され駆動モーター５４の回転が停止されると、次いで、モード用モーター４８が回転され、モード形成用駆動機構８０の駆動によって昇降モードが設定される。昇降モードが設定されると、昇降用モーター６６が回転されてストッカー４が昇降される。
【０２９１】
ストッカー４が所定の位置まで昇降されると昇降用モーター６６の回転が停止される。昇降用モーター６６の回転が停止されると、モード用モーター４８が先程とは逆方向へ回転され、モード形成用駆動機構８０の駆動によって再び後方ローディングモードが設定される。
【０２９２】
後方ローディングモードが設定されると、駆動モーター５４が正転方向へ回転され、第６の送りローラー９ｋと第６の送り体１０ｋとによってディスク状記録媒体１００ａがディスク収納部４ａから取り出され、ディスク状記録媒体１００ａが再生部３へ向けて搬送されていく。ディスク状記録媒体１００ａが再生部３へ向けて搬送されていくときには、ディスク状記録媒体１００ａはＡＤ１５からＡＤ１４、ＡＤ１３を経てＡＤ１２に至る。
【０２９３】
ディスク状記録媒体１００ａがＡＤ１２に至ったときには、ＳＷ２ａとＳＷ２ｂとが第２のスライド手段２５の駆動側スライダー２６によって操作されてＨｉｇｈ状態とされ、ＳＷ３が第３のスライド手段３０の第１のスライダー３１によって操作されてＨｉｇｈ状態とされ、ＳＷ４が第４のスライド手段３７の駆動側スライダー３８によって操作されてＨｉｇｈ状態とされ、ＳＷ５ａとＳＷ５ｂとが第５のスライド手段４２の駆動側スライダー４３によって操作されてＨｉｇｈ状態とされている（図３３、図４３及び図４４のＡＤ１２参照）。
【０２９４】
ＡＤ１２はターゲットとされ、ＳＷ４がＨｉｇｈ状態とされているときにＳＷ２ｂがＨｉｇｈ状態とされることにより、駆動モーター５４に対する減速制御が開始される。
【０２９５】
ディスク状記録媒体１００ａがさらに再生部３へ向けて搬送されることにより、第４のスライド手段３７の駆動側スライダー３８と従動側スライダー３９とが互いに接する方向へスライドされる（図３２参照）。
【０２９６】
駆動側スライダー３８と従動側スライダー３９とが互いに接する方向へスライドされることにより、駆動側スライダー３８によるＳＷ４に対する操作が解除されてＬｏｗ状態とされる（図３２、図４３及び図４４のＡＤ１１参照）。このときＳＷ２ａ、ＳＷ２ｂ、ＳＷ３、ＳＷ５ａ及びＳＷ５ｂは何れもＨｉｇｈ状態とされている。
【０２９７】
ディスクローディング装置１にあっては、ＳＷ２ｂがＨｉｇｈ状態とされているときにＳＷ４がＬｏｗ状態とされることにより、駆動モーター５４の回転が停止されディスク状記録媒体１００ａが装着位置に搬送される（図３２参照）。
【０２９８】
駆動モーター５４の回転が停止されると、次いで、上記したようにモード用モーター４８が回転され、モード形成用駆動機構８０の駆動によってチャッキングモードを経てプレイモードが設定され、チャッキングされたディスク状記録媒体１００ａに対する再生動作が行われる。
【０２９９】
（ｄ）ディスク挿入口とストッカーとの間の搬送動作（大径のディスク状記録媒体）
次に、ディスク状記録媒体１００ａがディスク挿入口２ａとストッカー４との間を搬送されるときの動作について説明する。
【０３００】
ディスク状記録媒体１００ａがディスク挿入口２ａから挿入されると、前方ローディングモードにおいて、ディスク挿入口２ａから再生部３までの上記した搬送動作と同様にしてディスク状記録媒体１００ａがＡＤ２からＡＤ７まで搬送され、ディスク状記録媒体１００ａは装着位置において一旦停止される。続いて後方ローディングモードが設定され、再生部３からストッカー４までの上記した搬送動作と同様にしてディスク状記録媒体１００ａがＡＤ１１からＡＤ１５まで搬送され、ストッカー４のディスク収納部４ａに収納される。
【０３０１】
ストッカー４のディスク収納部４ａからディスク状記録媒体１００ａが取り出されると、後方ローディングモードにおいて、ストッカー４から再生部３までの上記した搬送動作と同様にしてディスク状記録媒体１００ａがＡＤ１５からＡＤ１１まで搬送され、ディスク状記録媒体１００ａは装着位置において一旦停止される。続いて前方ローディングモードが設定され、再生部３からディスク挿入口２ａまでの上記した搬送動作と同様にしてディスク状記録媒体１００ａがＡＤ７からＡＤ２まで搬送され、イジェクトされる。
【０３０２】
（ｅ）ディスク挿入口と再生部との間の搬送動作（小径のディスク状記録媒体）
次に、小径のディスク状記録媒体１００ｂがディスク挿入口２ａと再生部３との間を搬送されるときの動作について説明する（図２２、図３７乃至図４２、図４６乃至図４８参照）。
【０３０３】
ディスク状記録媒体１００ｂがディスク挿入口２ａから挿入される前の前方ローディングモードにおける各部の状態は上記した通りであり（図２２参照）、この状態においてディスク状記録媒体１００ｂがディスク挿入口２ａから挿入されると、ディスク状記録媒体１００ｂの外周部がディスクセンサー５３の上側に位置される（図３７参照）。従って、ディスクセンサー５３はＯＮ状態とされディスク状記録媒体１００ｂがディスク挿入口２ａから挿入された旨が検出される（図４６乃至図４８のａｄ２参照）。
【０３０４】
尚、後述するａｄ３以降のアドレスにおいてもディスクセンサー５３がＯＮ状態となる場合があるが、ａｄ３以降のアドレスにおいてはディスクセンサー５３の状態はアドレス検出には利用されない。
【０３０５】
ディスクセンサー５３がＯＮ状態とされると、駆動モーター５４が反転方向へ回転され、上記したように、各送りローラー９ａ、９ｃ、９ｅ、９ｇ、９ｉ、９ｋが平面で見て反時計回り方向へ回転される。
【０３０６】
ディスク状記録媒体１００ｂがディスク挿入口２ａから挿入されて当該ディスク状記録媒体１００ｂの外周面が送りローラー９ａと送り体１０ａとに押し付けられると、送りローラー９ａの回転によってディスク状記録媒体１００ｂが筐体２の内部に引き込まれていく（図３８参照）。ディスク状記録媒体１００ｂが引き込まれていくときには、送りローラー９ａがディスク状記録媒体１００ｂの外周面上を転動される。
【０３０７】
ディスク状記録媒体１００ｂが引き込まれていくと、送りローラー９ａと送り体１０ａとの間の距離がディスク状記録媒体１００ｂの引き込まれた位置に応じて時々刻々と変化され、第１のスライド手段２０の駆動側スライダー２１と従動側スライダー２２とがバネ部材２３のバネ力に抗して互いに離間する方向へ支持シャーシ１２に対してスライドされる（図３８参照）。
【０３０８】
駆動側スライダー２１と従動側スライダー２２とが互いに離間する方向へスライドされると、駆動側スライダー２１によってＳＷ１が操作されてＨｉｇｈ状態とされる（図３８、図４６乃至図４８のａｄ３参照）。
【０３０９】
ディスク状記録媒体１００ｂがさらに引き込まれると、該ディスク状記録媒体１００ｂは、第１の送りローラー９ａ、第１の送り体１０ａから第２の送りローラー９ｃ、第２の送り体１０ｃに受け渡され、駆動側スライダー２６と従動側スライダー２７とが互いに離間する方向へスライドされる（図３９参照）。ディスク状記録媒体１００ｂが受け渡されるときには、該ディスク状記録媒体１００ｂの外周面に第１の送りローラー９ａ、第２の送りローラー９ｃ、第１の送り体１０ａ及び第２の送り体１０ｃが接した状態とされる。
【０３１０】
駆動側スライダー２６と従動側スライダー２７とが互いに離間する方向へスライドされることにより、駆動側スライダー２６によってＳＷ２ａが操作されてＨｉｇｈ状態とされる（図３９、図４６乃至図４８のａｄ４参照）。このときＳＷ１もＨｉｇｈ状態とされている。
【０３１１】
ディスク状記録媒体１００ｂがさらに引き込まれると、駆動側スライダー２６と従動側スライダー２７とはバネ部材２８のバネ力に抗して互いに離間する方向へさらにスライドされていき、逆に、駆動側スライダー２１と従動側スライダー２２とはバネ部材２３のバネ力によって互いに接する方向へスライドされていき、駆動側スライダー２１と従動側スライダー２２とは互いに接する方向における移動端に位置される（図４０参照）。
【０３１２】
駆動側スライダー２１と従動側スライダー２２とが互いに接する方向における移動端に位置されることにより、駆動側スライダー２１によるＳＷ１に対する操作が解除されてＬｏｗ状態とされる（図４０、図４６乃至図４８のａｄ５参照）。このときＳＷ２ａはＨｉｇｈ状態とされている。
【０３１３】
ａｄ５はターゲットとされ、ＳＷ２ａがＨｉｇｈ状態とされているときにＳＷ１がＬｏｗ状態とされることにより、駆動モーター５４に対する減速制御が開始される。また、ＳＷ１がＬｏｗ状態とされると共にＳＷ２ａがＨｉｇｈ状態とされることにより、挿入されたディスク状記録媒体１００が小径のディスク状記録媒体１００ｂであることが検出される（図４８のａｄ５参照）。従って、ａｄ１乃至ａｄ４においては、挿入されたディスク状記録媒体１００がディスク状記録媒体１００ａ又はディスク状記録媒体１００ｂであるかが検出されておらず、大径のディスク状記録媒体１００ａか小径のディスク状記録媒体１００ｂであるかが不明の状態とされている。
【０３１４】
上記のように、挿入されたディスク状記録媒体１００が小径のディスク状記録媒体１００ｂであることが検出されるとディスク状記録媒体１００のサイズが確定し、以後、サイズの書き換えが行われることはない。従って、以後のディスク状記録媒体１００ｂについての動作において、誤ってディスク状記録媒体１００ａに対しての動作が行われることがない。
【０３１５】
さらにディスク状記録媒体１００ｂが引き込まれていくと、ディスク状記録媒体１００ｂの外周面が第３のスライド手段３０の第１のスライダー３１と第２のスライダー３２とにそれぞれ支持された第１の規制コロ３３と第２の規制コロ３５とを後方へ押圧し、第１のスライダー３１と第２のスライダー３２とが互いに離間する方向へスライドされていく（図４１参照）。ディスク状記録媒体１００ｂは、その外周面に第３の送りローラー９ｅ、第１の規制コロ３３、第３の送り体１０ｅ及び第２の規制コロ３５が接した状態とされる。第１の規制コロ３３及び第２の規制コロ３５は、ディスク状記録媒体１００ｂの外周面に接しても該ディスク状記録媒体１００ｂの外周面に対して空転されるため、ディスク状記録媒体１００ｂを搬送する手段としては機能しない。従って、ディスク状記録媒体１００ｂはこれ以上ストッカー４側へ搬送されない。
【０３１６】
第１のスライダー３１と第２のスライダー３２とが互いに離間する方向へスライドされることにより、第１のスライダー３１によってＳＷ３が操作されてＨｉｇｈ状態とされる（図４１、図４６及び図４７のａｄ６参照）。このときＳＷ２ａもＨｉｇｈ状態とされている。
【０３１７】
ＳＷ２ａがＨｉｇｈ状態とされているときにＳＷ３がＨｉｇｈ状態とされることにより、駆動モーター５４の回転が停止されディスク状記録媒体１００ｂが装着位置に搬送される（図４１参照）。従って、ディスク状記録媒体１００ｂはチャッキングプーリー４７とディスクテーブル５２とによるチャッキングが可能な状態とされる。
【０３１８】
駆動モーター５４の回転が停止されると、次いで、モード用モーター４８が回転され、モード形成用駆動機構８０の駆動によってチャッキングモードが設定され、ディスク状記録媒体１００ｂがチャッキングプーリー４７とディスクテーブル５２とによって上下方向から挟持されてチャッキングされる。
【０３１９】
モード用モーター４８は引き続き回転され、モード形成用駆動機構８０の駆動によって駆動側スライダー２６と従動側スライダー２７、第１のスライダー３１と第２のスライダー３２がそれぞれ互いに離間する方向へスライドされ、第３の送りローラー９ｅ、第１の規制コロ３３、第３の送り体１０ｅ及び第２の規制コロ３５がディスク状記録媒体１００ｂの外周面から離間される（図４２参照）。このとき同時に、モード形成用駆動機構８０の駆動によって第４のスライド手段３７の駆動側スライダー３８と従動側スライダー３９とが互いに離間する方向へスライドされる（図４２参照）。
【０３２０】
駆動側スライダー３８と従動側スライダー３９とが互いに離間する方向へスライドされることにより、駆動側スライダー３８によってＳＷ４が操作されてＨｉｇｈ状態とされる（図４２、図４６及び図４７のａｄ７参照）。このときＳＷ２ａ及びＳＷ３もＨｉｇｈ状態とされている。
【０３２１】
上記のように、第３の送りローラー９ｅ、第１の規制コロ３３、第３の送り体１０ｅ及び第２の規制コロ３５がディスク状記録媒体１００ｂの外周面から離間されることにより、プレイモードが設定されモード用モーター４８の回転が停止される。
【０３２２】
プレイモードが設定されると、ディスクテーブル５２がスピンドルモーターの回転に伴って回転されると共に光ピックアップ５１が動作され、チャッキングされたディスク状記録媒体１００ｂに対する再生動作が行われる。再生動作時には、光ピックアップ５１の図示しない発光素子から出射されたレーザー光が対物レンズ５１ａを介してディスク状記録媒体１００ｂに照射され、その戻り光が対物レンズ５１ａを介して光ピックアップ５１の図示しない受光素子に入射され、ディスク状記録媒体１００ｂに記録された情報信号が再生される。
【０３２３】
上記したディスク状記録媒体１００ｂに対する情報信号の再生動作が終了すると、モード用モーター４８が上記とは反対方向へ回転されてディスク状記録媒体１００ｂのチャッキングプーリー４７とディスクテーブル５２とによるチャッキングが解除され、チャッキングモードを経て再び前方ローディングモードが設定される（図４１、図４６及び図４７のａｄ６参照）。前方ローディングモードが設定されると、モード用モーター４８の回転が停止される。
【０３２４】
前方ローディングモードが設定されると、駆動モーター５４が正転方向へ回転され、ディスク状記録媒体１００ｂがディスク挿入口２ａへ向けて搬送されていく。ディスク状記録媒体１００ｂがディスク挿入口２ａへ向けて搬送されていくと、ディスク状記録媒体１００ｂはａｄ６からａｄ５、ａｄ４、ａｄ３を経てａｄ２に至る。
【０３２５】
ディスク状記録媒体１００ｂがａｄ２に至ったときにはディスクセンサー５３がＯＮ状態とされている（図４６乃至図４８のａｄ２参照）。ディスクセンサー５３の状態は、上記したように、ａｄ１及びａｄ２においてのみアドレス検出に利用され、ａｄ３以降のアドレスにおいてはアドレス検出には利用されないため、ディスクセンサー５３がＯＮ状態とされることによりａｄ２のアドレスが検出される。
【０３２６】
ａｄ２のアドレスが検出されると駆動モーター５４の回転が停止される。このときディスク状記録媒体１００ｂは、その大部分がディスク挿入口２ａから前方へ突出されており、突出されたディスク状記録媒体１００ｂを把持して引き抜くことにより、ディスク状記録媒体１００ｂを筐体２から取り出すことができる。
【０３２７】
（ｆ）その他
ディスク状記録媒体１００がディスク挿入口２ａから挿入されていない状態において、操作者が、例えば、収納釦やイクスチェンジ釦を操作したときには、搬送用駆動機構８２が後方ローディングモードにおいて動作されるが、この場合には、第５のスライド手段４２の駆動側スライダー４３によってＳＷ５ａ及びＳＷ５ｂが操作されてＨｉｇｈ状態とされ、ＳＷ１、ＳＷ２ａ、ＳＷ２ｂ、ＳＷ３及びＳＷ４はＬｏｗ状態とされる。このようにＳＷ５ａ及びＳＷ５ｂのみがＨｉｇｈ状態とされることにより、ＤＤ１００が挿入されていない旨が検出され、その旨の表示が、例えば、図示しない表示部に表示される。
【０３２８】
また、ディスク状記録媒体１００がディスク挿入口２ａから挿入されていない状態において、操作者が、例えば、再生釦を操作したときには、モード形成用駆動機構８０によってプレイモードが設定されるが、この場合には、第２のスライド手段２５の駆動側スライダー２６によってＳＷ２ａが操作されてＨｉｇｈ状態とされ、第２のスライド手段３０の第１のスライダー３１によってＳＷ３が操作されてＨｉｇｈ状態とされ、第４のスライド手段３７の駆動側スライダー３８によってＳＷ４が操作されてＨｉｇｈ状態とされ、ＳＷ１、ＳＷ２ｂ、ＳＷ５ａ及びＳＷ５ｂはＬｏｗ状態とされる。このようにＳＷ２ａ、ＳＷ３及びＳＷ４のみがＨｉｇｈ状態とされることにより、ＤＤ１００が挿入されていない旨が検出され、その旨の表示が、例えば、図示しない表示部に表示される。
【０３２９】
（５）まとめ
以上に記載した通り、ディスクローディング装置１にあっては、各スライド手段２０、２５、３０、３７、４２のディスク状記録媒体１００の外周面に対して離接する方向へのスライド動作に基づいて、制御部８３によってディスク状記録媒体１００の搬送位置（アドレス）を検出しディスク状記録媒体１００に対する搬送動作を制御するようにしている。
【０３３０】
従って、ディスク状記録媒体１００の搬送動作に対して正確な制御を行うことができ、動作の信頼性の向上を図ることができる。
【０３３１】
また、ディスクローディング装置１にあっては、制御部８３によって、各スライド手段２０、２５、３０、３７、４２のディスク状記録媒体１００の外周面に対して離接する方向へのスライド動作に基づいて、ディスク状記録媒体１００のサイズを検出しているため、正確なサイズ検出を行うことができサイズ検出の信頼性の向上を図ることができる。
【０３３２】
さらに、ディスクローディング装置１にあっては、各スライド手段２０、２５、３０、３７、４２のディスク状記録媒体１００の外周面に対して離接する方向へのスライド動作に伴って操作される検出スイッチ６９、７０、７１、７２、７３、７４、７５を用いてディスク状記録媒体１００の搬送方向におけるアドレスを検出しているため、正確なアドレス検出を行うことができアドレス検出の信頼性の向上を図ることができる。
【０３３３】
さらにまた、ディスクローディング装置１にあっては、搬送されるディスク状記録媒体１００を挟んで反対側に位置された各送りローラー９、９、・・・と各送り体１０、１０、・・・とを、搬送されるディスク状記録媒体１００の外周面に対して離接する方向へ同期して移動可能としているため、搬送されるディスク状記録媒体１００に対する送りローラー９、９、・・・と送り体１０、１０、・・・とによる負荷が安定すると共に搬送動作の制御の容易化を図ることができる。
【０３３４】
加えて、ディスクローディング装置１にあっては、ディスク状記録媒体１００が所定のアドレス（ターゲット）に達したときに、駆動モーター５４に対する減速制御が行われてディスク状記録媒体１００が目標のアドレスまで搬送されるため、ディスク状記録媒体１００を目標のアドレスまで正確に搬送することができ、動作の信頼性の向上を図ることができる。
【０３３５】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０３３６】
【発明の効果】
以上に記載したところから明らかなように、本発明ディスクローディング装置は、ディスク挿入口から挿入されたディスク状記録媒体を搬送してローディングするディスクローディング装置であって、搬送されるディスク状記録媒体を挟んで互いに反対側に位置されディスク状記録媒体の外周面に互いに反対側から押し付けられてディスク状記録媒体を搬送する第１の搬送手段と第２の搬送手段とを備え、上記第１の搬送手段として、ディスク状記録媒体の搬送経路に沿って離間して配置されディスク状記録媒体の外周面に対して離接する方向へ移動可能とされると共にそれぞれ独立して回転され順にディスク状記録媒体の外周面上を転動するようにしてディスク状記録媒体を受け渡しながら送る複数の送りローラーを設け、ディスク状記録媒体の外周面に離接する方向への各送りローラーの移動動作に基づいて、ディスク状記録媒体の搬送方向における位置を検出しディスク状記録媒体に対する搬送動作を制御する制御部を設けたことを特徴とする。
【０３３７】
従って、ディスク状記録媒体の搬送動作に対して正確な制御を行うことができ、動作の信頼性の向上を図ることができる。
【０３３８】
請求項２に記載した発明にあっては、上記制御部が、ディスク状記録媒体の外周面に離接する方向への各送りローラーの移動動作に基づいて、ディスク挿入口から挿入されたディスク状記録媒体の半径方向における大きさを検出するようにしたので、ディスク状記録媒体の半径方向における大きさの検出を正確に行うことができ、ディスク状記録媒体の半径方向における大きさの検出の信頼性の向上を図ることができる。
【０３３９】
請求項３及び請求項４に記載した発明にあっては、上記制御部に、ディスク状記録媒体の外周面に離接する方向への各送りローラーの移動動作に伴って操作される複数の検出スイッチを設け、該複数の検出スイッチに対する操作状態に基づいて、ディスク状記録媒体の搬送方向における位置を検出するようにしたので、ディスク状記録媒体の搬送方向における位置検出を正確に行うことができディスク状記録媒体の搬送方向における位置検出の信頼性の向上を図ることができる。
【０３４０】
請求項５に記載した発明にあっては、上記第２の搬送手段として、ディスク状記録媒体の搬送方向に離間して上記送りローラーと同数配置されると共に略円筒状又は略円柱状に形成され外周面が搬送されるディスク状記録媒体の外周面に順に押し付けられる複数の送り体を設け、搬送されるディスク状記録媒体を挟んで反対側に位置された各送りローラーと各送り体とを、搬送されるディスク状記録媒体の外周面に対して離接する方向へ同期して移動可能としたので、搬送されるディスク状記録媒体に対する送りローラーと送り体とによる負荷が安定すると共に搬送動作の制御の容易化を図ることができる。
【０３４１】
請求項６に記載した発明にあっては、ディスク状記録媒体の目標位置への搬送を、第１の回転速度で送りローラーを回転させて目標位置の近傍のターゲット位置に搬送してから、第１の回転速度よりも遅い第２の回転速度で送りローラーを回転させてターゲット位置から搬送することにより行うようにしたので、ディスク状記録媒体を目標位置まで正確に搬送することができ、動作の信頼性の向上を図ることができる。
【図面の簡単な説明】
【図１】図２及び図３と共に本発明ディスクローディング装置の実施の形態を概念的に示すものであり、本図は第１の搬送手段として送りローラーを用い第２の搬送手段として送り壁を用いてディスク状記録媒体を搬送する装置を示す平面図である。
【図２】第１の搬送手段として送りローラーを用い第２の搬送手段として送り体を用いてディスク状記録媒体を搬送する装置を示す平面図である。
【図３】第１の搬送手段及び第２の搬送手段として送りローラーを用いてディスク状記録媒体を搬送する装置を示す平面図である。
【図４】図５乃至図４８と共に本発明ディスクローディング装置の実施の形態を具体的に示すものであり、本図は装置全体を示す斜視図である。
【図５】支持シャーシとベースシャーシとを分解して示す装置全体の斜視図である。
【図６】支持シャーシの平面図である。
【図７】各部が支持された状態で示す支持シャーシの斜視図である。
【図８】各部が支持された状態で示す支持シャーシの平面図である。
【図９】送り体を概念的に示す拡大斜視図である。
【図１０】第３のスライド手段と規制コロとを示す拡大分解斜視図である。
【図１１】ディスクローディング装置のブロック図である。
【図１２】図１３乃至図２１と共にディスクローディング装置における各制御における処理動作を示すものであり、本図は処理動作の概要を示すフローチャート図である。
【図１３】入力取得処理動作を示すフローチャート図である。
【図１４】シーケンス処理動作を示すフローチャート図である。
【図１５】オペレーション処理動作を示すフローチャート図である。
【図１６】ファイン処理動作を示すフローチャート図である。
【図１７】モーターへの出力処理動作を示すフローチャート図である。
【図１８】ディスク状記録媒体がディスク挿入口から再生部まで搬送されるときの処理動作を示すフローチャート図である。
【図１９】ディスク状記録媒体が再生部からストッカーまで搬送されるときの処理動作を示すフローチャート図である。
【図２０】ディスク状記録媒体がストッカーから再生部まで搬送されるときの処理動作を示すフローチャート図である。
【図２１】ディスク状記録媒体が再生部からディスク挿入口まで搬送されるときの処理動作を示すフローチャート図である。
【図２２】ディスク状記録媒体がディスク挿入口に挿入される前の前方ローディングモードにおける各部の状態を示す平面図である。
【図２３】図２４乃至図３６と共に大径のディスク状記録媒体が搬送されるときの各部の動作状態を示すものであり、本図はディスク状記録媒体がディスク挿入口から挿入された直後の状態を示す平面図である。
【図２４】ディスク状記録媒体が搬送され、第１のスライド手段がスライドされている状態を示す平面図である。
【図２５】図２４に引き続きディスク状記録媒体が搬送され、第１のスライド手段のスライドに伴って第２のスライド手段がスライドされている状態を示す平面図である。
【図２６】図２５に引き続きディスク状記録媒体が搬送され、ディスク状記録媒体が第１の送りローラー、第１の送り体、第２の送りローラー及び第２の送り体に接している状態を示す平面図である。
【図２７】図２６に引き続きディスク状記録媒体が搬送され、第１のスライド手段の駆動側スライダーと従動側スライダーとが接近する方向へ移動されている状態を示す平面図である。
【図２８】図２７に引き続きディスク状記録媒体が搬送され、ディスク状記録媒体が装着位置に位置された状態を示す平面図である。
【図２９】図２８に引き続きディスク状記録媒体が搬送され、ディスク状記録媒体が装着位置を越えてストッカー側へ搬送された状態を示す平面図である。
【図３０】図２９に引き続きディスク状記録媒体が搬送され、駆動モーターの回転が逆転する位置まで搬送された状態を示す平面図である。
【図３１】チャッキングされたディスク状記録媒体から送りローラー及び送り体が離間されプレイモードが設定された状態を示す平面図である。
【図３２】後方ローディングモードにおいてディスク状記録媒体がストッカーへ向けて搬送される前の状態を示す平面図である。
【図３３】図３２に引き続きディスク状記録媒体がストッカーへ向けて搬送されている状態を示す平面図である。
【図３４】図３３に引き続きディスク状記録媒体が搬送され、第５のスライド手段がスライドされている状態を示す平面図である。
【図３５】図３４に引き続きディスク状記録媒体が搬送され、ディスク状記録媒体がストッカーに収納される直前の状態を示す平面図である。
【図３６】ディスク状記録媒体がストッカーに収納された状態を示す平面図である。
【図３７】図３８乃至図４２と共に小径のディスク状記録媒体が搬送されるときの各部の動作状態を示すものであり、本図はディスク状記録媒体がディスク挿入口から挿入された直後の状態を示す平面図である。
【図３８】ディスク状記録媒体が搬送され、第１のスライド手段がスライドされている状態を示す平面図である。
【図３９】図３８に引き続きディスク状記録媒体が搬送され、ディスク状記録媒体が第１の送りローラー、第１の送り体、第２の送りローラー及び第２の送り体に接している状態を示す平面図である。
【図４０】図３９に引き続きディスク状記録媒体が搬送され、ディスク状記録媒体が装着位置に搬送される直前の状態を示す平面図である。
【図４１】図４０に引き続きディスク状記録媒体が搬送され、ディスク状記録媒体が装着位置に位置された状態を示す平面図である。
【図４２】チャッキングされたディスク状記録媒体から送りローラー及び送り体が離間されプレイモードが設定された状態を示す平面図である。
【図４３】大径のディスク状記録媒体のアドレスを検出する際のディスクセンサー及び検出スイッチの各状態を示す図表である。
【図４４】大径のディスク状記録媒体のアドレスにおけるディスクセンサー及び検出スイッチの各状態を示すタイムチャート図である。
【図４５】大径のディスク状記録媒体のサイズを検出する際のディスクセンサー及び検出スイッチの各状態を示す図表である。
【図４６】小径のディスク状記録媒体のアドレスを検出する際のディスクセンサー及び検出スイッチの各状態を示す図表である。
【図４７】小径のディスク状記録媒体のアドレスにおけるディスクセンサー及び検出スイッチの各状態を示すタイムチャート図である。
【図４８】小径のディスク状記録媒体のサイズを検出する際のディスクセンサー及び検出スイッチの各状態を示す図表である。
【符号の説明】
１（１Ａ、１Ｂ、１Ｃ）…ディスクローディング装置、２ａ…ディスク挿入口、６…第１の搬送手段、７…第２の搬送手段、９（９ａ、９ｃ、９ｅ、９ｇ、９ｉ、９ｋ）…送りローラー、１０（１０ａ、１０ｃ、１０ｅ、１０ｇ、１０ｉ、１０ｋ）…送り体、６９〜７５…検出スイッチ、８３…制御部、１００（１００ａ、１００ｂ）…ディスク状記録媒体
【図１】
2004030710.tif 000003
【図２】
2004030710.tif 000004
【図３】
2004030710.tif 000005
【図４】
2004030710.tif 000006
【図５】
2004030710.tif 000007
【図６】
2004030710.tif 000008
【図７】
2004030710.tif 000009
【図８】
2004030710.tif 000010
【図９】
2004030710.tif 000011
【図１０】
2004030710.tif 000012
【図１１】
2004030710.tif 000013
【図１２】
2004030710.tif 000014
【図１３】
2004030710.tif 000015
【図１４】
2004030710.tif 000016
【図１５】
2004030710.tif 000017
【図１６】
2004030710.tif 000018
【図１７】
2004030710.tif 000019
【図１８】
2004030710.tif 000020
【図１９】
2004030710.tif 000021
【図２０】
2004030710.tif 000022
【図２１】
2004030710.tif 000023
【図２２】
2004030710.tif 000024
【図２３】
2004030710.tif 000025
【図２４】
2004030710.tif 000026
【図２５】
2004030710.tif 000027
【図２６】
2004030710.tif 000028
【図２７】
2004030710.tif 000029
【図２８】
2004030710.tif 000030
【図２９】
2004030710.tif 000031
【図３０】
2004030710.tif 000032
【図３１】
2004030710.tif 000033
【図３２】
2004030710.tif 000034
【図３３】
2004030710.tif 000035
【図３４】
2004030710.tif 000036
【図３５】
2004030710.tif 000037
【図３６】
2004030710.tif 000038
【図３７】
2004030710.tif 000039
【図３８】
2004030710.tif 000040
【図３９】
2004030710.tif 000041
【図４０】
2004030710.tif 000042
【図４１】
2004030710.tif 000043
【図４２】
2004030710.tif 000044
【図４３】
2004030710.tif 000045
【図４４】
2004030710.tif 000046
【図４５】
2004030710.tif 000047
【図４６】
2004030710.tif 000048
【図４７】
2004030710.tif 000049
【図４８】
2004030710.tif 000050